(57)【特許請求の範囲】
【請求項１】
コンポーネントキャリアを複数用いて移動局装置との無線通信を行う基地局装置において、
いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記移動局装置に送信する送信処理部を備えることを特徴とする基地局装置。
【請求項２】
コンポーネントキャリアを複数用いて基地局装置との無線通信を行う移動局装置において、
いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記基地局装置から受信する受信処理部と、
前記ＴＰＣコマンドに基づいて、前記送信電力を制御する送信電力制御部と、
を備えることを特徴とする移動局装置。
【請求項３】
コンポーネントキャリアを複数用いて移動局装置との無線通信を行う基地局装置による無線通信方法において、
いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記移動局装置に送信することを特徴とする無線通信方法。
【請求項４】
コンポーネントキャリアを複数用いて基地局装置との無線通信を行う移動局装置による無線通信方法において、
いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記基地局装置から受信し、
前記送信電力を、前記ＴＰＣコマンドに基づいて制御することを特徴とする無線通信方法。
【請求項５】
コンポーネントキャリアを複数用いて移動局装置との無線通信を行う基地局装置に搭載される集積回路において、
いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記移動局装置に送信する機能を備えることを特徴とする集積回路。
【請求項６】
コンポーネントキャリアを複数用いて基地局装置との無線通信を行う移動局装置に搭載される集積回路において、
いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記基地局装置から受信する機能と、
前記送信電力を、前記ＴＰＣコマンドに基づいて制御する機能と、
を備えることを特徴とする集積回路。
【発明の詳細な説明】
【技術分野】
【０００１】
本発明は、移動局装置、基地局装置、無線通信方法、及び集積回路に関する。
【背景技術】
【０００２】
セルラー移動通信の無線アクセス方式及び無線ネットワークの進化（以下、「Ｌｏｎｇ
Ｔｅｒｍ  Ｅｖｏｌｕｔｉｏｎ（ＬＴＥ）、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＥＵＴＲＡ）」と称する。）、及び、より広帯域な周波数を利用して、さらに高速なデータの通信を実現する無線アクセス方式及び無線ネットワーク（以下、「Ｌｏｎｇ  Ｔｅｒｍ  Ｅｖｏｌｕｔｉｏｎ−Ａｄｖａｎｃｅｄ（ＬＴＥ−Ａ）、または、「Ａｄｖａｎｃｅｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ａ−ＥＵＴＲＡ）」と称する。）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ；３ＧＰＰ）において検討されている。【０００３】
ＬＴＥでは、下りリンクとして、マルチキャリア送信である直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）方式が用いられる。また、上りリンクとして、シングルキャリア送信であるＳＣ−ＦＤＭＡ（Ｓｉｎｇｌｅ−Ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）方式のシングルキャリア通信方式が用いられる。また、ＬＴＥにおいて、基地局装置から移動局装置への無線通信（下りリンク）では、報知チャネル（Ｐｈｙｓｉｃａｌ  Ｂｒｏａｄｃａｓｔ  Ｃｈａｎｎｅｌ；ＰＢＣＨ）、下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、下りリンク共用チャネル（Ｐｈｙｓｉｃａｌ  Ｄｏｗｎｌｉｎｋ  Ｓｈａｒｅｄ  Ｃｈａｎｎｅｌ；ＰＤＳＣＨ）、マルチキャストチャネル（Ｐｈｙｓｉｃａｌ  Ｍｕｌｔｉｃａｓｔ  Ｃｈａｎｎｅｌ；ＰＭＣＨ）、制御フォーマットインディケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、ＨＡＲＱインディケータチャネル（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ；ＰＨＩＣＨ）が割り当てられる。【０００４】
また、移動局装置から基地局装置への無線通信（上りリンク）では、上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）が割り当てられる。【０００５】
ＬＴＥでは、基地局間の干渉制御や移動局装置の省電力化などのために上りリンク制御チャネル、上りリンク共用チャネル、及び上りリンクのチャネルの品質を測定するために移動局装置が送信するサウンディングリファレンスシグナル（Ｓｏｕｎｄｉｎｇ  Ｒｅｆｅｒｅｎｃｅ  ｓｉｇｎａｌ）の送信電力を複数のパラメータで制御する。送信電力を制御するパラメータには、移動局装置が下りリンクの信号から測定したパスロスに基づくパラメータと、基地局装置が移動局装置に通知するパラメータなどがある。基地局装置が移動局装置に通知するパラメータには、更に、移動局装置間で共通に設定されるパラメータ、及び移動局装置毎に設定されるパラメータなどがある。基地局装置が移動局装置に通知する移動局装置毎のパラメータであるＴＰＣコマンド（Ｔｒａｎｓｍｉｓｓｉｏｎ  Ｐｏｗｅｒ  Ｃｏｎｔｒｏｌ  ｃｏｍｍａｎｄ）は下りリンク制御チャネルで送信される（非特許文献１ 第５章参照）。【０００６】
非特許文献２の第５．３．３小節には、下りリンク制御チャネルで送信される下りリンク制御情報（Ｄｏｗｎｌｉｎｋ  Ｃｏｎｔｒｏｌ  Ｉｎｆｏｒｍａｔｉｏｎ）のフォーマットが記載されている。上りリンク共用チャネルの無線リソースの割り当てを示すフォーマットには、上りリンク共用チャネル、及びサウンディングリファレンスシグナルに対するＴＰＣコマンドが含まれる。以下、このフォーマットを上りリンクグラント（Ｕｐｌｉｎｋ  ｇｒａｎｔ）と称する。また、下りリンク共用チャネルの無線リソースの割り当てを示すフォーマットには、上りリンク制御チャネルに対するＴＰＣコマンドが含まれる。以下、このフォーマットを下りリンクグラント（Ｄｏｗｎｌｉｎｋ  ｇｒａｎｔまたはＤｏｗｎｌｉｎｋ  ａｓｓｉｇｎｍｅｎｔ）と称する。【０００７】
また、複数の移動局装置に対する複数のＴＰＣコマンドのみを含むフォーマット３とフォーマット３Ａが規定されている。フォーマット３とフォーマット３Ａは、フォーマットに含まれる各ＴＰＣコマンドのビット数が異なる。以下、フォーマット３とフォーマット３Ａをまとめてフォーマット３／３Ａと称する。基地局装置は、移動局装置に識別子と１つの番号を通知し、移動局装置は、基地局装置から通知された識別子を含むフォーマット３／３Ａに含まれる、基地局装置から通知された番号のＴＰＣコマンドを自装置宛てのＴＰＣコマンドと認識する。フォーマット３／３Ａに含まれるＴＰＣコマンドが上りリンク制御チャネル、または上りリンク共用チャネルとサウンディングリファレンスシグナルに対するものかを識別するために、基地局装置は２つの識別子を割り当て、それぞれの識別子につき１つの番号を割り当てる。上りリンク制御チャネルに対応する識別子をＴＰＣ−ＰＵＣＣＨ−ＲＮＴＩ（Ｔｒａｎｓｍｉｓｓｉｏｎ  Ｐｏｗｅｒ  Ｃｏｎｔｒｏｌ−Ｐｈｙｓｉｃａｌ  Ｕｐｌｉｎｋ  Ｃｏｎｔｒｏｌ  Ｃｈａｎｎｅｌ−Ｒａｄｉｏ  Ｎｅｔｗｏｒｋ  Ｔｅｍｐｏｒａｒｙ  Ｉｄｅｎｔｉｔｉｆｅｒ）、上りリンク共用チャネルとサウンディングリファレンスシグナルに対応する識別子をＴＰＣ−ＰＵＳＣＨ−ＲＮＴＩ（Ｔｒａｎｓｍｉｓｓｉｏｎ  Ｐｏｗｅｒ  Ｃｏｎｔｒｏｌ−Ｐｈｙｓｉｃａｌ  Ｓｈａｒｅｄ  Ｃｏｎｔｒｏｌ  Ｃｈａｎｎｅｌ−Ｒａｄｉｏ  Ｎｅｔｗｏｒｋ  Ｔｅｍｐｏｒａｒｙ  Ｉｄｅｎｔｉｔｉｆｅｒ）と称する。【０００８】
フォーマット３／３Ａは複数の移動局装置が受信する必要があるため、全ての移動局装置が下りリンク制御チャネルを探索する共通探索空間（Ｃｏｍｍｏｎ  Ｓｅａｒｃｈ  Ｓｐａｃｅ）に配置され、特定の移動局装置宛ての下りリンク制御チャネルが配置される移動局装置固有探索空間（Ｕｓｅｒ  Ｅｑｕｉｐｍｅｎｔ−ｓｐｅｃｉｆｉｃ  Ｓｅａｒｃｈ  Ｓｐａｃｅ）には配置されない。フォーマット３／３Ａは、例えば、基地局装置が移動局装置に対して上りリンクグラントで上りリンク共用チャネルや、下りリンクグラントで下りリンク共用チャネルの無線リソースを割り当てず、定期的に移動局装置が上りリンク共用チャネルや、サウンディングリファレンスシグナル、下りリンク共用チャネルに対する上りリンク制御チャネルを送信している場合に、基地局装置が移動局装置の上りリンクの信号の送信電力を制御するＴＰＣコマンドを送信するために用いられる。【０００９】
ＬＴＥ−Ａでは、ＬＴＥとの互換性(ｃｏｍｐａｔｉｂｉｌｉｔｙ)を持つこと、つまり、ＬＴＥ−Ａの基地局装置が、ＬＴＥ−Ａ及びＬＴＥの両方の移動局装置と同時に無線通信を行い、また、ＬＴＥ−Ａの移動局装置が、ＬＴＥ−Ａ及びＬＴＥの両方の基地局装置と無線通信を行えるようにすることが求められており、ＬＴＥと同一のチャネル構造を用いることが検討されている。
例えば、ＬＴＥ−Ａでは、ＬＴＥと同一のチャネル構造の周波数帯域（以下、「キャリア要素（ＣＣ：Ｃａｒｒｉｅｒ  Ｃｏｍｐｏｎｅｎｔ）」、または、「コンポーネントキャリア（ＣＣ：Ｃｏｍｐｏｎｅｎｔ  Ｃａｒｒｉｅｒ）」と称する。）を複数用いて、１つの周波数帯域（広帯域な周波数帯域）として使用する技術（周波数帯域集約：Ｓｐｅｃｔｒｕｍ  ａｇｇｒｅｇａｔｉｏｎ、Ｃａｒｒｉｅｒ  ａｇｇｒｅｇａｔｉｏｎ、Ｆｒｅｑｕｅｎｃｙ  ａｇｇｒｅｇａｔｉｏｎなどとも称される。）が提案されている。【００１０】
具体的には、周波数帯域集約を用いた通信では、下りリンクのキャリア要素毎に、報知チャネル、下りリンク制御チャネル、下りリンク共用チャネル、マルチキャストチャネル、制御フォーマットインディケータチャネル、ＨＡＲＱインディケータチャネルを送信し、上りリンクのキャリア要素毎に上りリンク共用チャネル、上りリンク制御チャネル、ランダムアクセスチャネルが割り当てられる。つまり、周波数帯域集約は、上りリンクと下りリンクにおいて、基地局装置と複数の移動局装置が上りリンク制御チャネル、上りリンク共用チャネル、下りリンク制御チャネル、下りリンク共用チャネルなどを、複数のキャリア要素を用いて、複数のデータや複数の制御情報を同時に送受信する技術である（非特許文献３ 第５章参照）。
【先行技術文献】
【非特許文献】
【００１１】
【非特許文献１】"3GPP TS36.213 v8.6.0 (2009-03)", March 17, 2009.
【非特許文献２】"3GPP TS36.212 v8.6.0 (2009-03)", March 17, 2009.
【非特許文献３】"3GPP TR36.814 v1.0.2 (2009-03)", May, 2009.
【発明の概要】
【発明が解決しようとする課題】
【００１２】
しかしながら、従来の技術では、複数の上りリンクのキャリア要素を移動局装置に割り当て、割り当てた上りリンクのキャリア要素の各チャネルの送信電力を効率的に制御する方法が開示されていないという問題があった。より具体的に言えば、従来の技術では、下りリンクグラントに含まれる上りリンク制御チャネルに対するＴＰＣコマンドが、いずれの上りリンクのキャリア要素の上りリンク制御チャネルに対するＴＰＣコマンドであるかを示すことができなかった。これにより、移動局装置が、下りリンクグラントに含まれる上りリンク制御チャネルに対するＴＰＣコマンドを、基地局装置に上りリンク制御チャネルの無線リソースを割り当てられていない上りリンクのキャリア要素に適用してしまい、下りリンクグラントに含まれるＴＰＣコマンドが無駄になってしまうという問題があった。【００１３】
本発明は上記の点に鑑みてなされたものであり、その目的は、複数の上りリンクのキャリア要素を移動局装置に割り当て、割り当てた上りリンクのキャリア要素の送信電力を効率的に制御することができる移動局装置、基地局装置、無線通信方法及び通信プログラムを提供することにある。
【課題を解決するための手段】
【００１４】
（１）本発明は上記の課題を解決するためになされたものであり、本発明は、コンポーネントキャリアを複数用いて移動局装置との無線通信を行う基地局装置において、いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記移動局装置に送信する送信処理部を備えることを特徴とする。
【００１５】
（２）また、本発明は、コンポーネントキャリアを複数用いて基地局装置との無線通信を行う移動局装置において、いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記基地局装置から受信する受信処理部と、前記ＴＰＣコマンドに基づいて、前記送信電力を制御する送信電力制御部と、を備えることを特徴とする。
【００１６】
（３）また、本発明は、コンポーネントキャリアを複数用いて移動局装置との無線通信を行う基地局装置による無線通信方法において、いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記移動局装置に送信することを特徴とする。
【００１７】
（４）また、本発明は、コンポーネントキャリアを複数用いて基地局装置との無線通信を行う移動局装置による無線通信方法において、いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記基地局装置から受信し、前記送信電力を、前記ＴＰＣコマンドに基づいて制御することを特徴とする。
【００１８】
（５）また、本発明は、コンポーネントキャリアを複数用いて移動局装置との無線通信を行う基地局装置に搭載される集積回路において、いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記移動局装置に送信する機能を備えることを特徴とする。
（６）また、本発明は、コンポーネントキャリアを複数用いて基地局装置との無線通信を行う移動局装置に搭載される集積回路において、いずれかの下りリンクのコンポーネントキャリアに配置される下りリンク共用チャネルの無線リソース割り当てを示す情報と、前記下りリンク共用チャネルに対するＡＣＫ／ＮＡＣＫを送信する上りリンクのコンポーネントキャリアの上りリンク制御チャネルの送信電力を制御するためのＴＰＣコマンドとを含む下りリンク制御情報を前記基地局装置から受信する機能と、前記送信電力を、前記ＴＰＣコマンドに基づいて制御する機能と、を備えることを特徴とする。
【発明の効果】
【００１９】
本発明によれば、基地局装置は、移動局装置に割り当てた複数の上りリンクのキャリア要素の上りリンク制御チャネルに対する送信電力の制御を効率的に行うことができる。
より具体的には、本発明によれば、基地局装置は、下りリンク制御情報（下りリンクグラント）に、この下りリンク制御情報が無線リソースの割り当てを示す下りリンク共用チャネルに対する上りリンク制御情報（ＡＣＫ／ＮＡＣＫ）を送信する上りリンクのキャリア要素の上りリンク制御チャネルに対するＴＰＣコマンドを含め、移動局装置に送信する。これにより、基地局装置は、同一の下りリンク制御情報（下りリンクグラント）を用いて、下りリンク共用チャネルの無線リソースを割り当て、この下りリンク共用チャネルに対するＡＣＫ／ＮＡＣＫを送信する上りリンクのキャリア要素の上りリンク制御チャネルの送信電力を制御することができる。つまり基地局装置は、移動局装置に割り当てた複数の上りリンクのキャリア要素の上りリンク制御チャネルに対する送信電力の制御を効率的に行うことができる。
【図面の簡単な説明】
【００２０】
【図１】この発明の一実施形態に係る無線通信システムの概念図である。
【図２】本実施形態に係る周波数帯域集約処理の一例を示す図である。
【図３】本実施形態に係る下りリンクの無線フレームの構成の一例を示す概略図である。
【図４】本実施形態に係る上りリンクの無線フレームの構成の一例を示す概略図である。
【図５】本実施形態に係る基地局装置ｂ１の構成を示す概略ブロック図である。
【図６】本実施形態に係る記憶部ｂ１１３が記憶している各種設定情報の一例を示す図である。
【図７】本実施形態に係る移動局装置ａ１の構成を示す概略ブロック図である。
【図８】本実施形態に係る記憶部ａ１１３が記憶している各種設定情報の一例を示す図である。
【図９】本実施形態に係る送信電力制御用フォーマットの構成の一例を示す図である。
【図１０】本実施形態に係る移動局装置ａ１の上りリンク共用チャネルに対するＴＰＣコマンドの適用方法を示す図である。
【図１１】本実施形態に係る基地局装置ｂ１の動作の一例を示すフロー図である。
【図１２】本実施形態に係る移動局装置ａ１の動作の一例を示すフロー図である。
【図１３】この発明の第１の参考例に係る基地局装置ｂ２の構成を示す概略ブロック図である。
【図１４】本参考例に係る記憶部ｂ２１３が記憶している各種設定情報の一例を示す図である。
【図１５】この発明の第１の参考例に係る移動局装置ａ２の構成を示す概略ブロック図である。
【図１６】本参考例に係る記憶部ａ２１３が記憶している各種設定情報の一例を示す図である。
【図１７】本参考例に係る移動局装置ａ２の上りリンク共用チャネルに対するＴＰＣコマンドの適用方法を示す図である。
【図１８】この発明の第２の参考例に係る基地局装置ｂ３の構成を示す概略ブロック図である。
【図１９】本参考例に係る記憶部ｂ３１３が記憶している各種設定情報の一例を示す図である。
【図２０】この発明の第２の参考例に係る移動局装置ａ３の構成を示す概略ブロック図である。
【図２１】本参考例に係る記憶部ａ３１３が記憶している各種設定情報の一例を示す図である。
【図２２】本参考例に係る移動局装置ａ３の上りリンク共用チャネルに対するＴＰＣコマンドの適用方法を示す図である。
【００２１】
（本発明の実施形態）
以下、図面を参照しながら本発明の一実施形態について詳しく説明する。【００２２】
＜無線通信システムについて＞
図１は、本発明の一実施形態に係る無線通信システムの概念図である。図１において、無線通信システムは、移動局装置Ａ１〜Ａ３、及び基地局装置Ｂ１を具備する。移動局装置Ａ１〜Ａ３と基地局装置Ｂ１とは、後述する周波数帯域集約を用いた通信を行う。
図１は、基地局装置Ｂ１から移動局装置Ａ１〜Ａ３への無線通信（下りリンク）では、下りリンクパイロットチャネル（または、「下りリンクリファレンスシグナル（Ｄｏｗｎｌｉｎｋ  Ｒｅｆｅｒｅｎｃｅ  Ｓｉｇｎａｌ；ＤＬ ＲＳ）」とも称する。）、報知チャネル（Ｐｈｙｓｉｃａｌ  Ｂｒｏａｄｃａｓｔ  Ｃｈａｎｎｅｌ；ＰＢＣＨ）、下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、下りリンク共用チャネル（Ｐｈｙｓｉｃａｌ  Ｄｏｗｎｌｉｎｋ  Ｓｈａｒｅｄ  Ｃｈａｎｎｅｌ；ＰＤＳＣＨ）、マルチキャストチャネル（Ｐｈｙｓｉｃａｌ  Ｍｕｌｔｉｃａｓｔ  Ｃｈａｎｎｅｌ；ＰＭＣＨ）、制御フォーマットインディケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、ＨＡＲＱインディケータチャネル（Ｐｈｙｓｉｃａｌ  Ｈｙｂｒｉｄ  ＡＲＱ  Ｉｎｄｉｃａｔｏｒ  Ｃｈａｎｎｅｌ；ＰＨＩＣＨ）が割り当てられることを示す。【００２３】
また、図１は、移動局装置Ａ１〜Ａ３から基地局装置Ｂ１への無線通信（上りリンク）では、上りリンクパイロットチャネル（または、「上りリンクリファレンスシグナル（Ｕｐｌｉｎｋ  Ｒｅｆｅｒｅｎｃｅ  Ｓｉｇｎａｌ；ＵＬ ＲＳ）」とも称する。）、上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）が割り当てられることを示す。上りリンクリファレンスシグナルには、上りリンク共用チャネル、又は上りリンク制御チャネルと時間多重されて送信され、上りリンク共用チャネルと上りリンク制御チャネルの伝搬路補償に用いられる復調リファレンスシグナル（Ｄｅｍｏｄｕｌａｔｉｏｎ  Ｒｅｆｅｒｅｎｃｅ  Ｓｉｇｎａｌ）と、上りリンクの伝搬路の状況を推定するのに用いられるサウンディングリファレンスシグナル（Ｓｏｕｎｄｉｎｇ  Ｒｅｆｅｒｅｎｃｅ  ｓｉｇｎａｌ）がある。
以下、移動局装置Ａ１〜Ａ３を移動局装置ａ１といい、基地局装置Ｂ１を基地局装置ｂ１という。【００２４】
＜周波数帯域集約について＞
図２は、本実施形態に係る周波数帯域集約処理の一例を示す図である。図２において、横軸は周波数領域、縦軸は時間領域を示す。
図２に示すように、下りリンクのサブフレームＤ１は、２０ＭＨｚの帯域幅を持った３つのキャリア要素（ＤＣＣ−１：Ｄｏｗｎｌｉｎｋ  Ｃｏｍｐｏｎｅｎｔ  Ｃａｒｒｉｅｒ−１、ＤＣＣ−２、ＤＣＣ−３）のサブフレームによって構成されている。この下りリンクのキャリア要素（下りキャリア要素という）のサブフレーム各々には、格子状の線でハッチングした領域が示す下りリンク制御チャネルと、ハッチングをしない領域が示す下りリンク共用チャネルと、が時間多重されて割り当てられる。
一方、上りリンクのサブフレームＵ１は、２０ＭＨｚの帯域幅を持った３つのキャリア要素（ＵＣＣ−１：Ｕｐｌｉｎｋ  Ｃｏｍｐｏｎｅｎｔ  Ｃａｒｒｉｅｒ−１、ＵＣＣ−２、ＵＣＣ−３）によって構成されている。この上りリンクのキャリア要素（上りキャリア要素という）のサブフレーム各々には、斜めの格子状の線でハッチングした領域が示す上りリンク制御チャネルと、左斜線でハッチングした領域が示す上りリンク共用チャネルと、が周波数多重されて割り当てられる。【００２５】
例えば、基地局装置ｂ１は、ある下りリンクのサブフレームにおいて、３つの下りキャリア要素のうち１個又は複数の下りキャリア要素の下りリンク共用チャネルに信号を配置して、移動局装置ａ１へ送信する。また、移動局装置ａ１は、ある上りリンクのサブフレームにおいて、３つの上りキャリア要素のうち１個又は複数の上りキャリア要素の上りリンク共用チャネルに信号を配置して、基地局装置ｂ１へ送信する。【００２６】
＜下りリンク無線フレームについて＞
図３は、本実施形態に係る下りリンクの無線フレームの構成の一例を示す概略図である。図３は、ある下りキャリア要素における無線フレームの構成を示す。図３において、横軸は時間領域、縦軸は周波数領域である。
図３に示すように、下りキャリア要素の無線フレームは、複数の下りリンクの物理リソースブロック（ＰＲＢ；Ｐｈｙｓｉｃａｌ  Ｒｅｓｏｕｒｃｅ  Ｂｌｏｃｋ）ペア（例えば、図３の破線で囲まれた領域）から構成されている。この下りリンクの物理リソースブロックペアは、無線リソースの割り当てなどの単位であり、予め決められた幅の周波数帯（ＰＲＢ帯域幅）及び時間帯（２個のスロット＝１個のサブフレーム）からなる。
１個の下りリンクの物理リソースブロックペアは、時間領域で連続する２個の下りリンクの物理リソースブロック（ＰＲＢ帯域幅×スロット）から構成される。１個の下りリンクの物理リソースブロック（図３において、太線で囲まれている単位）は、周波数領域において１２個のサブキャリアから構成され、時間領域において７個のＯＦＤＭシンボルから構成される。【００２７】
時間領域においては、７個のＯＦＤＭシンボルから構成されるスロット、２個のスロットから構成されるサブフレーム、１０個のサブフレームから構成される無線フレームがある。周波数領域においては、下りキャリア要素の帯域幅に応じて複数の下りリンクの物理リソースブロック（ＰＲＢ）が配置される。尚、１個のサブキャリアと１個のＯＦＤＭシンボルから構成されるユニットを下りリンクのリソースエレメント（Ｒｅｓｏｕｒｃｅ  Ｅｌｅｍｅｎｔ；ＲＥ）と称する。【００２８】
以下、下りリンクの無線フレーム内に割り当てられるチャネルについて説明をする。
下りリンクの各サブフレームでは、例えば、下りリンク制御チャネルと、下りリンク共用チャネルと、下りリンクリファレンスシグナルとが割り当てられる。下りリンク制御チャネルはサブフレームの先頭のＯＦＤＭシンボルから配置され、下りリンク共用チャネルはサブフレームの残りのＯＦＤＭシンボルに配置される。下りリンクパイロットチャネルについては、説明の簡略化のため図３において図示を省略するが、下りリンクパイロットチャネルは周波数領域と時間領域において分散して配置される。【００２９】
まず、下りリンク制御チャネルに配置する信号について説明をする。
下りリンク制御チャネルには、下りリンクグラント（Ｄｏｗｎｌｉｎｋ  ｇｒａｎｔ）、上りリンクグラント（Ｕｐｌｉｎｋ  ｇｒａｎｔ）、送信電力制御用フォーマット（送信電力制御用の制御チャネルの情報フォーマット）などの情報フォーマットで構成される、通信の制御に用いられる情報である下りリンク制御情報（Ｄｏｗｎｌｉｎｋ  Ｃｏｎｔｒｏｌ  Ｉｎｆｏｒｍａｔｉｏｎ；ＤＣＩ）の信号が配置される。【００３０】
尚、下りリンクグラントは、下りリンク共用チャネルに対する変調方式を示す情報、符号化方式を示す情報、無線リソースの割り当てを示す情報、ＨＡＲＱ（Ｈｙｂｒｉｄ  Ａｕｔｏｍａｔｉｃ  Ｒｅｐｅａｔ  Ｒｅｑｕｅｓｔ）に関する情報、下りリンクグラントが無線リソースの割り当てを示す下りリンク共用チャネルに対するＡＣＫ（ＡＣＫｎｏｗｌｅｄｇｅｍｅｎｔ；肯定応答）／ＮＡＣＫ（Ｎｅｇａｔｉｖｅ−ＡＣＫｎｏｗｌｅｄｇｅｍｅｎｔ；否定応答）を送信する上りキャリア要素の上りリンク制御チャネルに対するＴＰＣコマンド（Ｔｒａｎｓｍｉｓｓｉｏｎ  Ｐｏｗｅｒ  Ｃｏｎｔｒｏｌ  ｃｏｍｍａｎｄ）などから構成される。また、上りリンクグラントは、上りリンク共用チャネルに対する変調方式を示す情報、符号化方式を示す情報、無線リソースの割り当てを示す情報、ＨＡＲＱに関する情報、上りリンクグラントが無線リソースの割り当てを示す上りリンク共用チャネルと、上りリンク共用チャネルと同じ上りキャリア要素のサウンディングリファレンスシグナルに対するＴＰＣコマンドなどから構成される。
尚、ＨＡＲＱとは、例えば、移動局装置ａ１（基地局装置ｂ１）がデータ情報の復号の成否（ＡＣＫ／ＮＡＣＫ）を基地局装置ｂ１（移動局装置ａ１）に送信し、移動局装置ａ１（基地局装置ｂ１）が誤りによりデータ情報を復号できない（ＮＡＣＫ）場合に基地局装置ｂ１（移動局装置ａ１）が信号を再送し、移動局装置ａ１（基地局装置ｂ１）が再度受信した信号とすでに受信した信号との合成信号に対して復号処理を行う技術である。【００３１】
また、送信電力制御用フォーマットは複数の移動局装置ａ１の上りキャリア要素各々の上りリンク共用チャネル、又は上りリンク制御チャネルに対するＴＰＣコマンドから構成される。送信電力制御用フォーマットに含まれる１つのＴＰＣコマンドのビット数は全て同じであり、送信電力制御用フォーマットには上りリンク共用チャネルと上りリンク制御チャネルに対するＴＰＣコマンドは同時に含まれない。また、送信電力制御用フォーマットに含まれる１つのＴＰＣコマンドのビット数は基地局装置ｂ１が選択し、選択したビット数を移動局装置ａ１に通知する。
尚、下りリンクグラント、上りリンクグラント、送信電力制御用フォーマットで受信したＴＰＣコマンドは予め定められた時間後から適用する。また、本実施形態では、ＴＰＣコマンドを受信する毎に、受信したＴＰＣコマンドだけを送信電力制御に適用するが、今までに受信したＴＰＣコマンドの値を累積した値を適用するようにしてもよい。【００３２】
下りリンク制御情報には、下りリンク制御情報のビット系列から生成した巡回冗長検査（Ｃｙｃｌｉｃ  Ｒｅｄｕｎｄａｎｃｙ  Ｃｈｅｃｋ；ＣＲＣ）符号と、識別子とで排他的論理和を行なった系列を付加する。移動局装置ａ１は、更に、この系列を割り当てられた識別子で排他的論理和を行なうことで巡回冗長検査符号を取得することができる。つまり、移動局装置ａ１は、下りリンク制御チャネルに含まれている識別子から下りリンク制御チャネルが自装置宛てに送信されたものかを判定することができる。【００３３】
特定の移動局装置ａ１宛てに送信する下りリンクグラント、上りリンクグラントには、基地局装置ｂ１が移動局装置ａ１毎に割り当てる識別子である、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）が含まれる。送信電力制御用フォーマットには、基地局装置ｂ１が複数の移動局装置ａ１に割り当てる識別子である、ＴＰＣ−ＰＵＣＣＨ−ＲＮＴＩ（Ｔｒａｎｓｍｉｓｓｉｏｎ  Ｐｏｗｅｒ  Ｃｏｎｔｒｏｌ−Ｐｈｙｓｉｃａｌ  Ｕｐｌｉｎｋ  Ｃｏｎｔｒｏｌ  Ｃｈａｎｎｅｌ−Ｒａｄｉｏ  Ｎｅｔｗｏｒｋ  Ｔｅｍｐｏｒａｒｙ  Ｉｄｅｎｔｉｔｉｆｅｒ）、またはＴＰＣ−ＰＵＳＣＨ−ＲＮＴＩ（Ｔｒａｎｓｍｉｓｓｉｏｎ  Ｐｏｗｅｒ  Ｃｏｎｔｒｏｌ−Ｐｈｙｓｉｃａｌ  Ｕｐｌｉｎｋ  Ｓｈａｒｅｄ  Ｃｈａｎｎｅｌ−Ｒａｄｉｏ  Ｎｅｔｗｏｒｋ  Ｔｅｍｐｏｒａｒｙ  Ｉｄｅｎｔｉｔｉｆｅｒ）が含まれており、移動局装置ａ１は送信電力制御用フォーマットにＴＰＣ−ＰＵＣＣＨ−ＲＮＴＩとＴＰＣ−ＰＵＳＣＨ−ＲＮＴＩのいずれかが含まれているかによって、送信電力制御用フォーマットに含まれているＴＰＣコマンドが上りリンク制御チャネルに対するものであるか、上りリンク共用チャネルとサウンディングリファレンスシグナルに対するものかであるかを判定する。【００３４】
次に、下りリンク共用チャネルに配置する信号について説明をする。
下りリンク共用チャネルには、データ情報（トランスポートブロック；Ｔｒａｎｓｐｏｒｔ  Ｂｌｏｃｋ）の信号（データ信号という）が配置される。下りリンク共用チャネルの無線リソースは、下りリンクグラントを用いて割り当てられ、この下りリンクグラントを含む下りリンク制御チャネルと同一の下りリンクのサブフレームに配置される。本実施形態では、下りリンク制御チャネルと下りリンク制御チャネルにより無線リソースの割り当てを示された下りリンク共用チャネルは同じ下りキャリア要素に配置される。尚、本発明はこれに限らず、下りリンクグラントから下りリンク共用チャネルを配置する下りキャリア要素を識別するようにし、下りリンク制御チャネルと下りリンク制御チャネルにより無線リソースの割り当てを示された下りリンク共用チャネルを異なる下りキャリア要素に配置してもよい。【００３５】
以下、下りリンク制御チャネルを配置する無線リソースについて説明をする。
下りリンク制御チャネルは、１つまたはそれ以上の制御チャネル要素（ＣｏｎｔｒｏｌＣｈａｎｎｅｌ  Ｅｌｅｍｅｎｔ；ＣＣＥ）に配置される。制御チャネル要素は、下りキャリア要素内の周波数時間領域において分散している複数のリソースエレメントグループ（Ｒｅｓｏｕｒｃｅ  Ｅｌｅｍｅｎｔ  Ｇｒｏｕｐ；ＲＥＧ。また、ｍｉｎｉ−ＣＣＥとも称する。）から構成される。リソースエレメントグループは、同一の下りキャリア要素の、同一ＯＦＤＭシンボル内において、下りリンクリファレンスシグナルを除いて、周波数領域で連続している４個の下りリンクのリソースエレメントから構成される。例えば、下りリンク制御チャネルは制御チャネル要素を識別する番号が連続している１個、２個、４個、または８個の制御チャネル要素に配置される。【００３６】
また、予め定められた制御チャネル要素で構成される共通探索空間（Ｃｏｍｍｏｎ  Ｓｅａｒｃｈ  Ｓｐａｃｅ）と、移動局装置ａ１毎に同じ、または異なる制御チャネル要素で構成される移動局装置固有探索空間（Ｕｓｅｒ  Ｅｑｕｉｐｍｅｎｔ−ｓｐｅｃｉｆｉｃ  Ｓｅａｒｃｈ  Ｓｐａｃｅ）が下りキャリア要素毎に構成される。共通探索空間と移動局装置固有探索空間は、下りリンク制御チャネルが配置される制御チャネル要素の数毎に異なる共通探索空間と移動局装置固有探索空間が構成される。つまり、下りリンク制御チャネルが１個、２個、４個、８個の制御チャネル要素に配置される場合、４つの移動局装置固有探索空間が構成される。また、異なる共通探索空間と移動局装置固有探索空間は、同じ制御チャネル要素を用いて構成されてもよい。【００３７】
共通探索空間には、送信電力制御用フォーマットなどの複数の移動局装置ａ１宛ての情報を含む下りリンク制御チャネルと、特定の移動局装置ａ１宛の下りリンクグラント、上りリンクグラントなどの情報を含む下りリンク制御チャネルが配置される。移動局装置固有探索空間には、移動局装置固有探索空間をモニターしている移動局装置ａ１宛ての下りリンクグラント、上りリンクグラントなどの情報を含む下りリンク制御チャネルが配置される。また、基地局装置ｂ１は、移動局装置ａ１毎に共通探索空間で下りリンク制御チャネルを監視する下りキャリア要素を設定し、設定した下りキャリア要素を移動局装置ａ１に通知する。以下、移動局装置ａ１毎に設定される共通探索空間を監視する下りキャリア要素のことを、アンカー下りキャリア要素（ａｎｃｈｏｒ Ｄｏｗｎｌｉｎｋ  Ｃｏｍｐｏｎｅｎｔ  Ｃａｒｒｉｅｒ）と称する。【００３８】
＜上りリンク無線フレームについて＞
図４は、本実施形態に係る上りリンクの無線フレームの構成の一例を示す概略図である。図４は、ある上りキャリア要素における無線フレームの構成を示す。図４において、横軸は時間領域、縦軸は周波数領域である。
図４に示すように、上りキャリア要素の無線フレームは、複数の上りリンクの物理リソースブロック（ＰＲＢ；Ｐｈｙｓｉｃａｌ  Ｒｅｓｏｕｒｃｅ  Ｂｌｏｃｋ）ペア（例えば、図４の破線で囲まれた領域）から構成されている。この上りリンクの物理リソースブロックペアは、無線リソースの割り当てなどの単位であり、予め決められた幅の周波数帯（ＰＲＢ帯域幅）及び時間帯（２個のスロット＝１個のサブフレーム）からなる。
１個の上りリンクの物理リソースブロックペアは、時間領域で連続する２個の上りリンクの物理リソースブロック（ＰＲＢ帯域幅×スロット）から構成される。１個の上りリンクの物理リソースブロック（図４において、太線で囲まれている単位）は、周波数領域において１２個のサブキャリアから構成され、時間領域において７個のＳＣ−ＦＤＭＡシンボルから構成される。【００３９】
時間領域においては、７個のＳＣ−ＦＤＭＡシンボルから構成されるスロット、２個のスロットから構成されるサブフレーム、１０個のサブフレームから構成される無線フレームがある。周波数領域においては、上りキャリア要素の帯域幅に応じて複数の上りリンクの物理リソースブロック（ＰＲＢ）が配置される。尚、１個のサブキャリアと１個のＳＣ−ＦＤＭＡシンボルから構成されるユニットを上りリンクのリソースエレメント（Ｒｅｓｏｕｒｃｅ  Ｅｌｅｍｅｎｔ；ＲＥ）と称する。【００４０】
以下、上りリンクの無線フレーム内に割り当てられるチャネルについて説明をする。
上りリンクの各サブフレームでは、例えば、上りリンク制御チャネル、上りリンク共用チャネル、及び上りリンクリファレンスシグナルが割り当てられる。
上りリンク制御チャネルは、上りキャリア要素の帯域幅の両端の上りリンクの物理リソースブロックペア（左斜線でハッチングされた領域）に割り当てられる。尚、上りリンク制御チャネルは周波数領域と時間領域において拡散符号により拡散し、符号多重をする。
上りリンク共用チャネルは、上りリンク制御チャネル以外の上りリンクの物理リソースブロックペア（ハッチングされない領域）に割り当てられる。尚、移動局装置ａ１は、ある１つの上りリンクのサブフレームにおいて、上りリンク制御チャネル及び上りリンク共用チャネルの両方に信号を配置しない。
復調リファレンスシグナル（図示せず）は、上りリンク共用チャネル及び上りリンク制御チャネルに時間多重されて割り当てられる。サウンディングリファレンスシグナルは、時間領域において、基地局装置ｂ１が移動局装置ａ１毎に設定した周期のサブフレームの最後のＳＣ−ＦＤＭＡシンボルに配置され。周波数領域において、基地局装置ｂ１が移動局装置ａ１毎に設定した周波数領域に配置される。【００４１】
まず、上りリンク制御チャネルに配置される信号について説明をする。
上りリンク制御チャネルには、チャネル品質情報、スケジューリング要求（ＳＲ：Ｓｃｈｅｄｕｌｉｎｇ  Ｒｅｑｕｅｓｔ）、ＡＣＫ／ＮＡＣＫなど、通信の制御に用いられる情報である上りリンク制御情報（Ｕｐｌｉｎｋ  Ｃｏｎｔｒｏｌ  Ｉｎｆｏｒｍａｔｉｏｎ；ＵＣＩ）の信号が配置される。
尚、チャネル品質情報は、移動局装置ａ１が下りリンクのリファレンスシグナルで測定した下りリンクのチャネルの伝送品質を示す情報である。また、スケジューリング要求は、移動局装置ａ１が基地局装置ｂ１に上りリンクの無線リソースの割り当てを要求するときに送信する情報である。また、ＡＣＫ／ＮＡＣＫは、移動局装置ａ１が受信した下りリンク共用チャネルの復号の成否を示す情報である。【００４２】
チャネル品質情報とスケジューリング要求を送信するための上りリンク制御チャネルの無線リソースは、移動局装置ａ１毎に基地局装置ｂ１が周期的に割り当てる。ＡＣＫ／ＮＡＣＫを送信するための上りリンク制御チャネルの無線リソースは、周波数領域において、ＡＣＫ／ＮＡＣＫが対応する下りリンク共用チャネルの無線リソースの割り当てを示す下りリンクグラントを配置した制御チャネル要素に対応する上りリンク制御チャネルの無線リソースであり、時間領域において下りリンク共用チャネルを受信してから予め定められた時間後の無線リソースが用いられる。本実施形態では、同じ上りキャリア要素のＡＣＫ／ＮＡＣＫの無線リソースは、同じ下りキャリア要素の下りリンク制御チャネルの無線リソースと対応させる。また、下りリンクグラントに含まれる上りリンク制御チャネルに対するＴＰＣコマンドは、下りリンクグラントが対応するＡＣＫ／ＮＡＣＫの無線リソースが配置される上りキャリア要素に対するものである。【００４３】
次に、上りリンク共用チャネルに配置される信号について説明をする。
上りリンク共用チャネルには、上りリンク制御情報以外の情報であるデータ情報（トランスポートブロック；Ｔｒａｎｓｐｏｒｔ  Ｂｌｏｃｋ）の信号（データ信号という）が配置される。上りリンク共用チャネルの無線リソースは、上りリンクグラントを用いて割り当てられ、この上りリンクグラントを受信したサブフレームから予め定められた時間後のサブフレームに配置される。本実施形態では、移動局装置ａ１は上りリンクグラントを受信した下りキャリア要素から、上りリンクグラントが無線リソース割り当てを示す上りリンク共用チャネルが配置される上りキャリア要素を判定する。また、上りリンクグラントに含まれる上りリンク共用チャネルとサウンディングリファレンスシグナルに対するＴＰＣコマンドは上りリンクグランドが対応する上りリンク共用チャネルが配置される上りキャリア要素に対するものである。尚、本発明はこれに限らず、上りリンクグラントから上りリンク共用チャネルが配置される上りキャリア要素が識別されるようにしてもよい。【００４４】
＜基地局装置ｂ１の構成について＞
図５は、本実施形態に係る基地局装置ｂ１の構成を示す概略ブロック図である。図示するように、基地局装置ｂ１は、上位層処理部ｂ１１、制御部ｂ１２、受信処理部ｂ１３、複数の受信アンテナ、送信処理部ｂ１４、及び、複数の送信アンテナ、を含んで構成される。また、上位層処理部ｂ１１は、無線リソース制御部ｂ１１１と送信電力制御部ｂ１１２と記憶部ｂ１１３を含んで構成される。尚、図５では、受信アンテナと送信アンテナとを別の構成としたが、信号の入出力を切り替える作用のあるサイリスタなどを用いてアンテナを共有するようにしてもよい。【００４５】
上位層処理部ｂ１１は、上位ノードから取得した下りキャリア要素毎のデータ情報などを、送信処理部ｂ１４に出力する。また、上位層処理部ｂ１１は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層処理部ｂ１１の無線リソース制御部ｂ１１１は、移動局装置ａ１各々の各種設定情報、通信状態、及び、バッファ状況の管理などを行っている。上位層処理部ｂ１１の送信電力制御部ｂ１１２は、移動局装置ａ１各々の上りリンクの送信電力の管理を行なっている。上位層処理部ｂ１１の記憶部ｂ１１３は無線リソース制御部ｂ１１１、及び送信電力制御部ｂ１１２が設定した移動局装置ａ１各々の各種設定情報を記憶している。
【００４６】
上記の処理において、上位層処理部ｂ１１が備える無線リソース制御部ｂ１１１は、基地局装置ｂ１が無線通信に用いることのできる下りキャリア要素と上りキャリア要素の数、及び移動局装置ａ１が同時に送信、又は受信することのできる下りキャリア要素と上りキャリア要素の数に応じて、複数の上りキャリア要素と下りキャリア要素を移動局装置ａ１に割り当てる。また、無線リソース制御部ｂ１１１は、下りキャリア要素に収容している移動局装置ａ１の数、移動局装置ａ１から受信した下りキャリア要素の伝搬路の品質を示すチャネル品質情報に基づき、この移動局装置ａ１宛の送信電力制御用フォーマットを送信するアンカー下りキャリア要素を移動局装置ａ１に割り当てる。また、無線リソース制御部ｂ１１１は、移動局装置ａ１に、移動局装置ａ１や下りリンク制御情報を識別するためのＣ−ＲＮＴＩ、送信電力制御用フォーマットを識別するためのＴＰＣ−ＰＵＣＣＨ−ＲＮＴＩ、ＴＰＣ−ＰＵＳＣＨ−ＲＮＴＩとＴＰＣコマンドの番号（フィールド）を割り当て、通知する。【００４７】
また、無線リソース制御部ｂ１１１は、下りキャリア要素と上りキャリア要素を複数選択し、選択した各下りキャリア要素と上りキャリア要素内の無線リソースを、データ情報を配置する無線リソースとして移動局装置ａ１に割り当てる。無線リソース制御部ｂ１１１は、当該割り当てを示す下りリンクグラントと上りリンクグラントを下りリンク制御情報として、送信処理部ｂ１４を介して、移動局装置ａ１に送信する。また、下りリンクグラントと上りリンクグラントには、下りリンクグラント又は上りリンクグラントが対応する移動局装置ａ１に割り当てたＣ−ＲＮＴＩと巡回冗長検査符号の排他的論理和を行なった系列が付加される。【００４８】
また、無線リソース制御部ｂ１１１は、移動局装置ａ１各々の各種設定情報、通信状態、及び、バッファ状況の管理などを行う。また、無線リソース制御部ｂ１１１は、各下りキャリア要素の各チャネルに配置する情報を生成、又は上位ノードから取得し、下りキャリア要素毎に送信処理部ｂ１４に出力する。例えば、無線リソース制御部ｂ１１１は、下りリンク制御情報を生成し、送信処理部ｂ１４に出力する。【００４９】
また、無線リソース制御部ｂ１１１は、移動局装置ａ１から上りリンク制御チャネルで通知された上りリンク制御情報（ＡＣＫ／ＮＡＣＫ、チャネル品質情報、スケジューリング要求、及び移動局装置ａ１のバッファの状況）や無線リソース制御部ｂ１１１が設定した移動局装置ａ１各々の各種設定情報に基づき、受信処理部ｂ１３及び送信処理部ｂ１４の制御を行うために制御情報を生成し、制御部ｂ１２に出力する。例えば、無線リソース制御部ｂ１１１は、送信処理部ｂ１４が送信電力制御用フォーマットを配置する場合、送信電力制御用フォーマットに含まれるＴＰＣコマンドに対応する移動局装置ａ１に割り当てたアンカー下りキャリア要素の共通探索空間に送信電力制御用フォーマットを配置するよう、制御部ｂ１２に制御情報を出力する。
【００５０】
上記の処理において、上位層処理部ｂ１１が備える送信電力制御部ｂ１１２は、他の基地局装置ｂ１から通知される情報や、移動局装置ａ１から受信した上りリンクのチャネルの受信電力などに基づいて、移動局装置ａ１各々の上りキャリア要素毎に、上りリンクのチャネルの送信電力を決定する。他の基地局装置ｂ１から通知される情報は、自装置と通信している移動局装置ａ１が与える他の基地局装置ｂ１への干渉量や、他の基地局装置ｂ１と通信している移動局装置ａ１がこれから自装置に与える干渉量についての情報である。送信電力制御部ｂ１１２は、移動局装置ａ１各々の上りキャリア要素毎の上りリンクのチャネルの送信電力を決定したら、上りキャリア要素毎の送信電力を制御するためのＴＰＣコマンドの値を決定し、ＴＰＣコマンドの情報を生成する。
【００５１】
また、送信電力制御部ｂ１１２は、同じアンカー下りキャリア要素を割り当て、更に同じＴＰＣ−ＰＵＣＣＨ−ＲＮＴＩやＴＰＣ−ＰＵＳＣＨ−ＲＮＴＩを割り当てた移動局装置ａ１に対するＴＰＣコマンドをまとめて送信電力制御用フォーマットを生成し、送信処理部ｂ１４を介して、移動局装置ａ１に送信する。また、送信電力制御部ｂ１１２は、上りリンクグラント、又は下りリンクグラントがある場合は、上りリンクグラント、又は下りリンクグラントが対応する上りキャリア要素に対するＴＰＣコマンドを含め、送信処理部ｂ１４を介して、移動局装置ａ１に送信する。また、送信電力制御用フォーマットには、送信電力制御用フォーマットに対応する複数の移動局装置ａ１に割り当てたＴＰＣ−ＰＵＣＣＨ−ＲＮＴＩ又はＴＰＣ−ＰＵＳＣＨ−ＲＮＴＩと巡回冗長検査符号の排他的論理和を行なった系列が付加される。送信電力制御用フォーマットに含まれるＴＰＣコマンドが上りリンク制御チャネルに対するものである場合は、ＴＰＣ−ＰＵＣＣＨ−ＲＮＴＩが用いられ、上りリンク共用チャネルに対応するものである場合は、ＴＰＣ−ＰＵＳＣＨ−ＲＮＴＩが用いられる。【００５２】
上位層処理部ｂ１１の記憶部ｂ１１３は、無線リソース制御部ｂ１１１と送信電力制御部ｂ１１２が設定した移動局装置ａ１各々の各種設定情報を記憶している。図６は、本実施形態に係る記憶部ｂ１１３が記憶している各種設定情報の一例を示す図である。図６では、Ｎ個の移動局装置ａ１各々（Ａ１、Ａ２、・・・、ＡＮ）に対する設定情報を記憶しており、上位層処理部ｂ１１の無線リソース制御部ｂ１１１と送信電力制御部ｂ１１２が移動局装置ａ１各々に設定した、アンカー下りキャリア要素の番号と、ＴＰＣ−ＰＵＣＣＨ−ＲＮＴＩとＴＰＣ−ＰＵＳＣＨ−ＲＮＴＩの識別子（１６進数）と、ＴＰＣ−ＰＵＣＣＨ−ＲＮＴＩとＴＰＣ−ＰＵＳＣＨ−ＲＮＴＩ毎に、移動局装置ａ１各々の上りキャリア要素が対応する送信電力制御用フォーマットに含まれるＴＰＣコマンドの番号と、現在ＴＰＣコマンドで移動局装置ａ１各々に指示している送信電力の値を表の形式で記憶している。尚、移動局装置ａ１に割り当てていない上りキャリア要素に対するＴＰＣコマンドの番号と送信電力は空欄としている。【００５３】
本実施形態では、基地局装置ｂ１は、図６の移動局装置Ａ１と移動局装置ＡＮのように、同じアンカー下りキャリア要素を割り当てた移動局装置ａ１には、同じＴＰＣ−ＰＵＳＣＨ−ＲＮＴＩとＴＰＣ−ＰＵＣＣＨ−ＲＮＴＩを割り当てる。こうすることで、基地局装置ｂ１は、１つのＴＰＣ−ＰＵＣＣＨ−ＲＮＴＩとＴＰＣ−ＰＵＳＣＨ−ＲＮＴＩを含む送信電力制御用フォーマットを１つの下りキャリア要素で送信すればよくなる。また、基地局装置ｂ１は、同じアンカー下りキャリア要素を割り当てた移動局装置ａ１の数が、送信電力制御用フォーマットで送信できるＴＰＣコマンドの数よりも多い場合は、同じアンカー下りキャリア要素を割り当てた移動局装置ａ１を複数のグループにわけ、同じグループの移動局装置ａ１各々に同じＴＰＣ−ＰＵＣＣＨ−ＲＮＴＩとＴＰＣ−ＰＵＳＣＨ−ＲＮＴＩを割り当てる。【００５４】
尚、異なるアンカー下りキャリア要素を割り当てられた移動局装置ａ１に割り当てられるＴＰＣ−ＰＵＣＣＨ−ＲＮＴＩとＴＰＣ−ＰＵＳＣＨ−ＲＮＴＩは同じであっても、異なってもよい。基地局装置ｂ１は、異なるアンカー下りキャリア要素を割り当てた移動局装置ａ１に対して同じＴＰＣ−ＰＵＣＣＨ−ＲＮＴＩ、又はＴＰＣ−ＰＵＳＣＨ−ＲＮＴＩを割り当てることで、下りキャリア要素毎にＴＰＣ−ＰＵＣＣＨ−ＲＮＴＩとＴＰＣ−ＰＵＳＣＨ−ＲＮＴＩを再利用することができ、識別子のリソース（識別子に用いるビット数で表現できる情報資源）を削減することができる。【００５５】
また、基地局装置ｂ１が異なるアンカー下りキャリア要素を割り当てた移動局装置ａ１に割り当てるＴＰＣ−ＰＵＣＣＨ−ＲＮＴＩとＴＰＣ−ＰＵＳＣＨ−ＲＮＴＩを必ず異なるようにすることで、１つのＴＰＣ−ＰＵＣＣＨ−ＲＮＴＩとＴＰＣ−ＰＵＳＣＨ−ＲＮＴＩには１つの移動局装置のグループだけが対応することになり、基地局装置ｂ１の識別子の管理が簡単になり、基地局装置ｂ１の構造を簡略化することができる。
尚、本実施形態では、送信電力制御用フォーマットに含まれる１つのＴＰＣコマンドのビット数に関係なく、同じＴＰＣコマンドの番号を割り当てているが、送信電力制御用フォーマットに含まれる１つのＴＰＣコマンドのビット数毎に、異なるＴＰＣコマンドの番号を割り当ててもよい。【００５６】
制御部ｂ１２は、上位層処理部ｂ１１からの制御情報に基づいて、受信処理部ｂ１３及び送信処理部ｂ１４の制御を行う制御信号を生成する。制御部ｂ１２は、生成した制御信号を受信処理部ｂ１３、及び送信処理部ｂ１４に出力して受信処理部ｂ１３、及び送信処理部ｂ１４の制御を行う。【００５７】
受信処理部ｂ１３は、制御部ｂ１２から入力された制御信号に従って、受信アンテナを介して移動局装置ａ１から受信した受信信号を復調、復号し、復号した情報を上位層処理部ｂ１１に出力する。
具体的には、受信処理部ｂ１３は、各受信アンテナを介して受信した各上りキャリア要素の信号を、中間周波数に変換し（ダウンコンバート）、不要な周波数成分を除去し、信号レベルが適切に維持されるように増幅レベルを制御し、受信した信号の同相成分及び直交成分に基づいて、直交復調し、直交復調されたアナログ信号をディジタル信号に変換する。受信部は、変換したディジタル信号からガードインターバル（Ｇｕａｒｄ  Ｉｎｔｅｒｖａｌ；ＧＩ）に相当する部分を除去する。受信部は、ガードインターバルを除去した信号に対して高速フーリエ変換（Ｆａｓｔ  Ｆｏｕｒｉｅｒ  Ｔｒａｎｓｆｏｒｍ；ＦＦＴ）を行い、周波数領域の信号を抽出する。【００５８】
受信処理部ｂ１３は、抽出した信号を上りキャリア要素毎に、上りリンク制御チャネル、上りリンク共用チャネル、復調リファレンスシグナル及びサウンディングリファレンスシグナルに配置された信号に、それぞれ分離する。また、上りリンク制御チャネルは符号多重されているため、逆拡散を行ない分離する。尚、この分離は、予め基地局装置ｂ１が決定して移動局装置ａ１各々に通知した無線リソースの割当情報に基づいて行われる。また、分離した上りリンクリファレンスシグナルから伝搬路の推定値を求め、上りリンク制御チャネルと上りリンク共用チャネルの伝搬路の補償を行なう。【００５９】
受信処理部ｂ１３は、上りリンク共用チャネルを逆離散フーリエ変換（ＩｎｖｅｒｓｅＤｉｓｃｒｅｔｅ  Ｆｏｕｒｉｅｒ  Ｔｒａｎｓｆｏｒｍ；ＩＤＦＴ）し、変調シンボルを取得し、上りリンク制御チャネルと上りリンク共用チャネルの変調シンボルそれぞれに対して、二位相偏移変調（Ｂｉｎａｒｙ  Ｐｈａｓｅ  Ｓｈｉｆｔ  Ｋｅｙｉｎｇ；ＢＰＳＫ）、４相位相偏移変調（Ｑｕａｄｒａｔｕｒｅ  Ｐｈａｓｅ  Ｓｈｉｆｔ  Ｋｅｙｉｎｇ；ＱＰＳＫ）、１６値直交振幅変調（１６Ｑｕａｄｒａｔｕｒｅ  Ａｍｐｌｉｔｕｄｅ  Ｍｏｄｕｌａｔｉｏｎ；１６ＱＡＭ）、６４値直交振幅変調（６４Ｑｕａｄｒａｔｕｒｅ  Ａｍｐｌｉｔｕｄｅ  Ｍｏｄｕｌａｔｉｏｎ；６４ＱＡＭ）等の予め定められた、又は基地局装置ｂ１が移動局装置ａ１各々に上りリンクグラントで予め通知した変調方式を用いて受信信号の復調を行なう。【００６０】
受信処理部ｂ１３は、復調した上りリンク制御チャネルと上りリンク共用チャネルの符号化ビットを、予め定められた符号化方式の、予め定められた、又は基地局装置ｂ１が移動局装置ａ１各々に上りリンクグラントで予め通知した符号化率で復号を行ない、データ情報と、上りリンク制御情報を上位層処理部ｂ１１へ出力する。【００６１】
受信処理部ｂ１３は、移動局装置ａ１各々から受信した上りリンクリファレンスシグナルや上りリンク共用チャネルの受信信号の受信電力などを測定し、上りキャリア要素のチャネルの伝送品質を測定し、上位層処理部ｂ１１に出力する。【００６２】
送信処理部ｂ１４は、制御部ｂ１２から入力された制御信号に従って、下りリンクリファレンスシグナルを生成し、上位層処理部ｂ１１から入力されたデータ情報、下りリンク制御情報を符号化、及び変調し、下りリンク制御チャネル、及び下りリンク共用チャネルに配置し、生成した下りリンクリファレンスシグナルと多重して、送信アンテナを介して移動局装置ａ１に信号を送信する。
具体的には、送信処理部ｂ１４は、上位層処理部ｂ１１から入力された下りキャリア要素各々の下りリンク制御情報、及びデータ情報を、制御部ｂ１２から入力された制御信号に従って、ターボ符号化、畳込み符号化、ブロック符号化等の符号化を行い、符号化ビットをＱＰＳＫ、１６ＱＡＭ、６４ＱＡＭ等の変調方式で変調する。また、基地局装置ｂ１を識別するためのセル識別子などを基に予め定められた規則で求まる、移動局装置ａ１が既知の系列を下りリンクリファレンスシグナルとして生成し、下りリンク制御チャネルと下りリンク共用チャネルと下りリンクリファレンスシグナルを多重する。【００６３】
尚、送信電力制御用フォーマットは、送信電力制御用フォーマットに含まれるＴＰＣコマンドが対応する移動局装置ａ１に割り当てられたアンカー下りキャリア要素の共通探索空間に多重され、下りリンクグラント及び上りリンクグラントは、下りリンクグラント及び上りリンクグラントに対応する移動局装置ａ１に割り当てられたアンカー下りキャリア要素の共通探索空間、又はこの移動局装置ａ１に割り当てられた下りキャリア要素毎の移動局装置固有探索空間に多重される。【００６４】
送信処理部ｂ１４は、多重した変調シンボルを逆高速フーリエ変換（Ｉｎｖｅｒｓｅ  Ｆａｓｔ  Ｆｏｕｒｉｅｒ  Ｔｒａｎｓｆｏｒｍ；ＩＦＦＴ）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。【００６５】
＜移動局装置ａ１の構成について＞
図７は、本実施形態に係る移動局装置ａ１の構成を示す概略ブロック図である。図示するように、移動局装置ａ１は、上位層処理部ａ１１、制御部ａ１２、受信処理部ａ１３、複数の受信アンテナ、送信処理部ａ１４、及び、複数の送信アンテナ、を含んで構成される。また、上位層処理部ａ１１は、無線リソース制御部ａ１１１と送信電力制御部ａ１１２と記憶部ａ１１３を含んで構成される。また、送信処理部ａ１４は、電力増幅部ａ１４１を含んで構成される。尚、図７では、受信アンテナと送信アンテナとを別の構成としたが、信号の入出力を切り替える作用のあるサイリスタなどを用いてアンテナを共有するようにしてもよい。【００６６】
上位層処理部ａ１１は、ユーザの操作等により生成した上りキャリア要素毎のデータ情報を、送信処理部ａ１４に出力する。また、上位層処理部ａ１１は、パケットデータ統合プロトコル層、無線リンク制御層、無線リソース制御層の処理を行う。上位層処理部ａ１１が備える無線リソース制御部ａ１１１は、自装置の各種設定情報、通信状態、及び、バッファ状況の管理などを行っている。上位層処理部ａ１１の送信電力制御部ａ１１２は、自装置の上りリンクの送信電力の管理を行なっている。上位層処理部ａ１１の記憶部ａ１１３は無線リソース制御部ａ１１１が管理している自装置の各種設定情報を記憶している。【００６７】
上記の処理において、上位層処理部ａ１１が備える無線リソース制御部ａ１１１は、自装置が割り当てられた下りキャリア要素と上りキャリア要素、アンカー下りキャリア要素、Ｃ−ＲＮＴＩ、ＴＰＣ−ＰＵＣＣＨ−ＲＮＴＩ、ＴＰＣ−ＰＵＳＣＨ−ＲＮＴＩなどの各種設定情報の管理を行なう。また、無線リソース制御部ａ１１１は、各上りキャリア要素の各チャネルに配置する情報を生成し、上りキャリア要素毎に送信処理部ａ１４に出力する。例えば、無線リソース制御部ａ１１１は、ＨＡＲＱ処理の結果に応じて下りリンク共用チャネルのデータ情報に対するＡＣＫ／ＮＡＣＫを生成し、生成したＡＣＫ／ＮＡＣＫを送信処理部ａ１４に出力する。【００６８】
無線リソース制御部ａ１１１は、基地局装置ｂ１から下りリンク制御チャネルで通知された下りリンク制御情報（例えば、下りリンクグラント、上りリンクグラント）や、無線リソース制御部ａ１１１が管理する自装置の各種設定情報に基づき、受信処理部ａ１３、及び送信処理部ａ１４の制御を行うために制御情報を生成し、制御部ａ１２に出力する。例えば、無線リソース制御部ａ１１１は、受信処理部ａ１３が下りリンク制御チャネルをモニターする場合、送信電力制御用フォーマットをアンカー下りキャリア要素の共通探索空間でモニターし、自装置宛ての下りリンクグラントと上りリンクグラントをアンカー下りキャリア要素の共通探索空間と、下りキャリア要素各々の移動局装置固有探索空間でモニターするよう、制御部ａ１２に制御情報を出力する。【００６９】
上記の処理において、上位層処理部ａ１１が備える送信電力制御部ａ１１２は、基地局装置ｂ１から通知されるＴＰＣコマンドや移動局装置ａ１が下りリンクリファレンスシグナルから測定したパスロスなどから上りリンクのチャネルの送信電力の制御を行なっており、電力増幅部ａ１４１の制御を行なうために制御情報を生成し、制御部ａ１２に出力する。
【００７０】
上位層処理部ａ１１の記憶部ａ１１３は、無線リソース制御部ａ１１１と送信電力制御部ａ１１２が管理する自装置の各種設定情報を記憶している。図８は、本実施形態に係る記憶部ａ１１３が記憶している各種設定情報の一例を示す図である。図８では、自装置が基地局装置ｂ１に設定されたアンカー下りキャリア要素の番号と、ＴＰＣ−ＰＵＣＣＨ−ＲＮＴＩとＴＰＣ−ＰＵＳＣＨ−ＲＮＴＩの識別子（１６進数）と、ＴＰＣ−ＰＵＣＣＨ−ＲＮＴＩとＴＰＣ−ＰＵＳＣＨ−ＲＮＴＩ毎に、自装置の上りキャリア要素が対応する送信電力制御用フォーマットに含まれるＴＰＣコマンドの番号と、現在ＴＰＣコマンドで自装置が指示されている送信電力の値を表の形式で記憶している。【００７１】
尚、ＴＰＣ−ＰＵＣＣＨ−ＲＮＴＩが含まれる送信電力制御用フォーマットのＴＰＣコマンドと、下りリンクグラントのＴＰＣコマンドを同時に受信した場合、下りリンクグラントのＴＰＣコマンドが対応する上りキャリア要素は、下りリンクグラントのＴＰＣコマンドを適用し、下りリンクグラントのＴＰＣコマンドが対応していない上りキャリア要素は、フォーマット３／３ＡのＴＰＣコマンドを適用する。また、ＴＰＣ−ＰＵＳＣＨ−ＲＮＴＩが含まれる送信電力制御用フォーマットのＴＰＣコマンドと、上りリンクグラントのＴＰＣコマンドを同時に受信した場合、上りリンクグラントのＴＰＣコマンドが対応する上りキャリア要素は、上りリンクグラントのＴＰＣコマンドを適用し、上りリンクグラントのＴＰＣコマンドが対応していない上りキャリア要素は、フォーマット３／３ＡのＴＰＣコマンドを適用する。【００７２】
図９は、本実施形態に係る送信電力制御用フォーマットの構成の一例を示す図である。図９において、送信電力制御用フォーマットにはＭ個のＴＰＣコマンド（ＴＰＣ  ＃ｉと付された四角；ｉは整数）が含まれており、斜線が付された四角はＭ個のＴＰＣコマンドから生成した巡回冗長検査符号とＴＰＣ−ＰＵＣＣＨ−ＲＮＴＩ（またはＴＰＣ−ＰＵＳＣＨ−ＲＮＴＩ）の排他的論理和を行なった系列である。【００７３】
例えば、図８のような設定情報を持った移動局装置ａ１が、アンカー下りキャリア要素であるＤＣＣ−２の下りキャリア要素の共通探索空間で、自装置に割り当てられたＴＰＣ−ＰＵＣＣＨ−ＲＮＴＩである“０００１“の識別子を用いて送信電力制御用フォーマットを検出した場合、検出した送信電力制御用フォーマットの２番目のＴＰＣコマンドをＵＣＣ−１の上りキャリア要素に対するＴＰＣコマンド、３番目のＴＰＣコマンドをＵＣＣ−２の上りキャリア要素に対するＴＰＣコマンド、４番目のＴＰＣコマンドをＵＣＣ−３の上りキャリア要素に対するＴＰＣコマンドと判定し、上位層処理部ａ１１の記憶部ａ１１３のＴＰＣコマンドが指示する送信電力の値を更新する。【００７４】
制御部ａ１２は、上位層処理部ａ１１からの制御情報に基づいて、受信処理部ａ１３、及び送信処理部ａ１４の制御を行う制御信号を生成する。制御部ａ１２は、生成した制御信号を受信処理部ａ１３、及び送信処理部ａ１４に出力して受信処理部ａ１３、及び送信処理部ａ１４の制御を行う。【００７５】
受信処理部ａ１３は、制御部ａ１２から入力された制御信号に従って、受信アンテナを介して基地局装置ｂ１から受信した受信信号を、復調、復号し、復号した情報を上位層処理部ａ１１に出力する。また、受信処理部ａ１３は、検出した下りリンクリファレンスシグナルの受信品質等に基づいて、チャネル品質情報を生成し、送信処理部ａ１４に出力する。【００７６】
具体的には、受信処理部ａ１３は、各受信アンテナを介して受信した各上りキャリア要素の信号を、中間周波数に変換し（ダウンコンバート）、不要な周波数成分を除去し、信号レベルが適切に維持されるように増幅レベルを制御し、受信した信号の同相成分及び直交成分に基づいて、直交復調し、直交復調されたアナログ信号をディジタル信号に変換する。受信部ａ１３は、変換したディジタル信号からガードインターバルに相当する部分を除去する。受信部ａ１３は、ガードインターバルを除去した信号に対して高速フーリエ変換を行い、周波数領域の信号を抽出する。【００７７】
受信処理部ａ１３は、抽出した信号を下りキャリア要素毎に、下りリンク制御チャネル、下りリンク共用チャネル、及び下りリンクリファレンスシグナルに配置された信号に、それぞれ分離する。尚、この分離は、下りリンクグラントで通知された無線リソースの割り当て情報などに基づいて行われる。また、受信処理部ａ１３は、分離した下りリンクリファレンスシグナルから伝搬路の推定値を求め、下りリンク制御チャネルと下りリンク共用チャネルの伝搬路の補償を行なう。また、受信処理部ａ１３は、分離した下りリンクリファレンスシグナルの受信品質等に基づいて、チャネル品質情報を生成し、送信処理部ａ１４に出力する。【００７８】
受信処理部ａ１３は、下りリンク制御チャネルに対して、ＱＰＳＫ変調方式の復調を行ない、アンカー下りキャリア要素の共通探索空間で送信電力制御用フォーマットを、アンカー下りキャリア要素の共通探索空間と設定された下りキャリア要素各々の移動局装置固有探索空間で下りリンクグラントと上りリンクグラントをモニターし、復号を試みる。下りリンク制御チャネルの復号に成功した場合、復号した下りリンク制御情報を上位層処理部ａ１１に出力する。
受信処理部ａ１３は、下りリンク共用チャネルに対して、ＱＰＳＫ、１６ＱＡＭ、６４ＱＡＭ等の下りリンクグラントで通知された変調方式の復調を行ない、下りリンクグラントで通知された符号化率に対する復号を行い、データ情報を上位層処理部ａ１１へ出力する。【００７９】
送信処理部ａ１４は、制御部ａ１２から入力された制御信号に従って、上りリンクリファレンスシグナルを生成し、上位層処理部ａ１１から入力されたデータ情報、ＡＣＫ／ＮＡＣＫ、及び受信処理部ａ１３から入力されたチャネル品質情報、を符号化及び変調し、上りリンク共用チャネル、及び上りリンク制御チャネルに配置し、生成した上りリンクリファレンスシグナルと多重して、送信アンテナを介して基地局装置ｂ１に送信する。【００８０】
具体的には、送信処理部ａ１４は、上位層処理部ａ１１と受信処理部ａ１３から入力された各上りキャリア要素の上りリンク制御情報、及びデータ情報を、制御部ａ１２から入力された制御信号に従って、ターボ符号化、畳込み符号化、ブロック符号化等の符号化を行い、符号化ビットをＢＰＳＫ、ＱＰＳＫ、１６ＱＡＭ、６４ＱＡＭ等の変調方式で変調する。【００８１】
送信処理部ａ１４は、基地局装置ｂ１を識別するためのセル識別子などを基に予め定められた規則で求まる、基地局装置ｂ１が既知の系列を上りリンクリファレンスシグナルとして生成する。送信処理部ａ１４は、上りリンク制御チャネルの変調シンボルを符号で拡散し、上りリンク共用チャネルの変調シンボルを並列に並び替えてから離散フーリエ変換（Ｄｉｓｃｒｅｔｅ  Ｆｏｕｒｉｅｒ  Ｔｒａｎｓｆｏｒｍ；ＤＦＴ）し、生成した上りリンクリファレンスシグナルと多重する。【００８２】
送信処理部ａ１４は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。【００８３】
上記の処理において、電力増幅部ａ１４１は、制御部ａ１２から入力された制御信号に従って、上りリンク制御チャネル、上りリンク共用チャネル、サウンディングリファレンスシグナルの送信電力を増幅する。尚、復調リファレンスシグナルの送信電力は、復調リファレンスシグナルが時間多重されるチャネルの送信電力と同じ値に増幅される。【００８４】
＜無線通信システムの動作について＞
以下、無線通信システムの動作について説明をする。
図１０は、本実施形態に係る移動局装置ａ１の上りリンク共用チャネルに対するＴＰＣコマンドの適用方法を示す図である。図１０では、移動局装置ａ１が、図２に示すような下りキャリア要素（ＤＣＣ−１、ＤＣＣ−２、ＤＣＣ−３）と上りキャリア要素（ＵＣＣ−１、ＵＣＣ−２、ＵＣＣ−３）を割り当てられ、アンカー下りキャリア要素としてＤＣＣ−２を設定された場合を示す。
図１０において、横軸は時間領域を示し、斜めの格子上の線が付された四角は移動局装置ａ１に割り当てられたＴＰＣ−ＰＵＳＣＨ−ＲＮＴＩを含む送信電力制御用フォーマットを示し、縦と横の格子状の線が付された四角は上りリンクグラントを示し、斜線が付された四角は上りリンク共用チャネルを示し、点が付された四角はサウンディングリファレンスシグナルを示し、太い矢印は送信電力制御用フォーマット、及び上りリンクグラントに含まれる上りリンク共用チャネルとサウンディングリファレンスシグナルに対するＴＰＣコマンドが対応する上りキャリア要素と、ＴＰＣコマンドを適用する時刻を示す。【００８５】
図１０において、ＤＣＣ−１で受信する上りリンクグラントに含まれるＴＰＣコマンドはＵＣＣ−１に対するものであり、ＤＣＣ−２で受信する上りリンクグラントに含まれるＴＰＣコマンドはＵＣＣ−２に対する上りリンクグラントに対するものであり、ＤＣＣ−３で受信する上りリンクグラントに含まれるＴＰＣコマンドはＵＣＣ−３に対するものであり、ＤＣＣ−２の共通探索空間で受信する送信電力制御用フォーマットには、ＵＣＣ−１とＵＣＣ−２とＵＣＣ−３に対するＴＰＣコマンドが含まれている。【００８６】
サウンディングフリファレンスシグナルは上りキャリア要素各々で周期的な無線リソースが割り当てられており、下りキャリア要素ＤＣＣ−ｉ（ｉ＝１、２、３）各々で受信された上りリンクグラントの上りリンク共用チャネルに関する情報とＴＰＣコマンドは、上りリンクグラントが受信されてから４つのサブフレーム後の上りキャリア要素ＵＣＣ−ｉ（ｉ＝１、２、３）各々に対するものであり、アンカー下りキャリア要素ＤＣＣ−２の共通探索空間で受信された送信電力制御用フォーマットのＴＰＣコマンドは、送信電力制御用フォーマットが受信されてから４つのサブフレーム後の上りキャリア要素各々に対するものである。【００８７】
図１０の太線の丸で囲んでいる上りキャリア要素ＵＣＣ−１のサブフレームのように、移動局装置ａ１は、同じ上りキャリア要素に対する上りリンクグラントのＴＰＣコマンドと、送信電力制御用フォーマットのＴＰＣコマンドを同時に受信した場合、上りリンクグラントのＴＰＣコマンドを優先的に適用する。移動局装置ａ１が、上りリンクグラントと送信電力制御用フォーマットのいずれのＴＰＣコマンドを選択するかを予め定めておくことで、移動局装置ａ１が上りリンクグラントと送信電力制御用フォーマットで異なるＴＰＣコマンドを受信した場合の動作を明確にすることができる。また、基地局装置ｂ１は、上りリンクグラントが対応する上りリンク共用チャネルが移動局装置ａ１から送信されたかを検出することで、移動局装置ａ１が上りリンクグラントを正しく受信し、ＴＰＣコマンドを適用したかを把握できるため、上りリンクグラントのＴＰＣコマンドを優先的に選択するようにすることで、より正確な送信電力の制御を行なうことができる。尚、ＴＰＣ−ＰＵＣＣＨ−ＲＮＴＩを含む送信電力制御用フォーマットと下りリンクグラントに含まれるＴＰＣコマンドについても同様で、移動局装置ａ１は下りリンクグラントのＴＰＣコマンドを優先的に選択する。
【００８８】
図１１は、本実施形態に係る基地局装置ｂ１の動作の一例を示すフロー図である。
（ステップＳ１００）基地局装置ｂ１は、基地局装置ｂ１が無線通信に用いることのできる下りキャリア要素と上りキャリア要素の数、及び移動局装置ａ１が同時に送信、又は受信することのできる下りキャリア要素と上りキャリア要素の数などに応じて、複数の上りキャリア要素と下りキャリア要素を移動局装置ａ１に割り当てる。次に、ステップＳ１０１に進む。
（ステップＳ１０１）基地局装置ｂ１は、下りキャリア要素に収容している移動局装置ａ１の数、移動局装置ａ１から受信した下りキャリア要素の伝搬路の品質を示すチャネル品質情報に基づき、この移動局装置宛の送信電力制御用フォーマットを送信するアンカー下りキャリア要素を移動局装置ａ１に割り当てる。次に、ステップＳ１０２に進む。【００８９】
（ステップＳ１０２）基地局装置ｂ１は、送信電力制御用フォーマット、及び送信電力制御用フォーマットに含まれるＴＰＣコマンドが対応するチャネルを識別するための識別子（ＴＰＣ−ＰＵＣＣＨ−ＲＮＴＩ、ＴＰＣ−ＰＵＳＣＨ−ＲＮＴＩ）と、送信電力制御用フォーマットに含まれる移動局装置ａ１に割り当てた上りキャリア要素に対する複数のＴＰＣコマンドを識別するための番号を移動局装置ａ１に割り当てる。尚、基地局装置ｂ１は、同じアンカー下りキャリア要素を割り当てた移動局装置ａ１を複数のグループにわけ、同じグループの移動局装置ａ１各々に同じＴＰＣ−ＰＵＣＣＨ−ＲＮＴＩとＴＰＣ−ＰＵＳＣＨ−ＲＮＴＩを割り当てる。次に、ステップＳ１０３に進む。
（ステップＳ１０３）基地局装置ｂ１は、他の基地局装置ｂ１から通知される、自装置と通信している移動局装置ａ１が与える他の基地局装置ｂ１への干渉量や、移動局装置ａ１から受信した上りリンクのチャネルの受信電力などに基づいて、移動局装置ａ１のチャネルの送信電力を決定する。次に、ステップＳ１０４に進む。【００９０】
（ステップＳ１０４）基地局装置ｂ１は、上りリンクの各チャネルの送信電力がステップＳ１０３で決定した送信電力になるよう、移動局装置ａ１に通知するＴＰＣコマンドを生成する。次に、ステップＳ１０５に進む。
（ステップＳ１０５）基地局装置ｂ１は、ステップＳ１０４で生成した複数のＴＰＣコマンドのうち、同じ識別子を割り当てた移動局装置ａ１各々に対するＴＰＣコマンドから送信電力制御用フォーマットを生成する。また、上りリンクグラント、又は下りリンクグラントがある場合は、上りリンクグラント、下りリンクグラントにＴＰＣコマンドを含める。次に、ステップＳ１０６に進む。【００９１】
（ステップＳ１０６）基地局装置ｂ１は、下りリンク制御情報（送信電力制御用フォーマット、下りリンクグラント、上りリンクグラント）を符号化、及び変調し、下りリンク制御チャネルで送信する。尚、送信電力制御用フォーマットはステップＳ１０１で移動局装置ａ１各々に割り当てられたアンカー下りキャリア要素の共通探索空間に配置され、下りリンクグラントと上りリンクグラントはアンカー下りキャリア要素の共通探索空間、又は下りキャリア要素各々の移動局装置固有探索空間に配置される。
ステップＳ１０６の後、基地局装置ｂ１は、上りリンクの各チャネルの送信電力の制御に関する処理を終了する。【００９２】
図１２は、本実施形態に係る移動局装置ａ１の動作の一例を示すフロー図である。（ステップＳ２００）移動局装置ａ１は、無線通信に用いる複数の上りキャリア要素と下りキャリア要素を基地局装置ｂ１から割り当てられる。次に、ステップＳ２０１に進む。（ステップＳ２０１）移動局装置ａ１は、自装置宛の送信電力制御用フォーマットを送信されるアンカー下りキャリア要素を基地局装置ｂ１から割り当てられる。次に、ステップＳ２０２に進む。【００９３】
（ステップＳ２０２）移動局装置ａ１は、送信電力制御用フォーマット、及び送信電力制御用フォーマットに含まれるＴＰＣコマンドが対応するチャネルを識別するための識別子（ＴＰＣ−ＰＵＣＣＨ−ＲＮＴＩ、ＴＰＣ−ＰＵＳＣＨ−ＲＮＴＩ）と、送信電力制御用フォーマットに含まれる自装置に割り当てられた上りキャリア要素に対する複数のＴＰＣコマンドを識別するための番号を基地局装置ｂ１から割り当てられる。次に、ステップＳ２０３に進む。
（ステップＳ２０３）移動局装置ａ１は、アンカー下りキャリア要素の共通探索空間でＴＰＣ−ＰＵＣＣＨ−ＲＮＴＩ、及びＴＰＣ−ＰＵＳＣＨ−ＲＮＴＩを用いて送信電力制御用フォーマットを、アンカー下りキャリア要素の共通探索空間と下りキャリア要素各々の移動局装置固有探索空間でＣ−ＲＮＴＩを用いて下りリンクグラントと上りリンクグラントをモニターし、復調、復号を試みる。次に、ステップＳ２０４に進む。【００９４】
（ステップＳ２０４）移動局装置ａ１は、ステップＳ２０３で送信電力制御用フォーマット、下りリンクグラント、又は上りリンクグラントの復号に成功したら、送信電力制御用フォーマット、下りリンクグラント、又は上りリンクグラントに含まれるＴＰＣコマンドで、移動局装置ａ１が記憶している上りキャリア要素各々に対するＴＰＣコマンドの値を更新する。次に、ステップＳ２０５に進む。
（ステップＳ２０５）移動局装置ａ１は、ステップＳ２０４で更新したＴＰＣコマンドの値を、予め定められた時間後の上りリンクのサブフレームのチャネルに適用し、上りリンクのチャネルを送信する。
ステップＳ２０５の後、移動局装置ａ１は、上りリンクの各チャネルの送信電力の制御に関する処理を終了する。【００９５】
このように、本実施形態によれば、無線通信システムは、基地局装置ｂ１が、複数の上りキャリア要素と複数の下りキャリア要素を移動局装置ａ１に割り当て、移動局装置ａ１にアンカー下りキャリア要素を設定し、設定したアンカー下りキャリア要素を移動局装置ａ１に通知し、移動局装置ａ１の上りキャリア要素各々に対する複数のＴＰＣコマンドを１つの下りリンク制御情報にまとめて含め、設定したアンカー下りキャリア要素で複数の上りキャリア要素に対するＴＰＣコマンドを含む下りリンク制御情報を送信し、移動局装置ａ１は設定されたアンカー下りキャリア要素だけで自装置の上りキャリア要素各々に対するＴＰＣコマンドを含む下りリンク制御情報をモニターする。これにより、無線通信システムは、基地局装置ｂ１が移動局装置ａ１に上りキャリア要素各々のＴＰＣコマンドを送信するために、１つの下りリンク制御情報だけを用いればよく、下りリンク制御情報のオーバーヘッドを減らすことができる。
また、上記実施形態において、無線通信システムは、移動局装置ａ１が１つの下りキャリア要素だけで下りリンク制御情報をモニターすればよく、移動局装置ａ１の下りリンク制御情報をモニターする際の処理の負荷を減らすことができる。【００９６】
（第１の参考例）
以下、図面を参照しながら本発明の第１の参考例について詳しく説明する。【００９７】
上記の実施形態では、無線通信システムは、基地局装置ｂ１が移動局装置ａ１に割り当てた複数の下りキャリア要素のうち、１つの下りキャリア要素をアンカー下りキャリア要素として設定し、設定した１つのアンカー下りキャリア要素で送信電力制御用フォーマットを送信する場合について説明した。本参考例では、基地局装置が、移動局装置に割り当てた複数の上りキャリア要素を複数（Ｌ個）のグループにわけ、上りキャリア要素のグループ毎に下りキャリア要素をアンカー下りキャリア要素として設定し、設定した１つまたはそれ以上のアンカー下りキャリア要素で送信電力制御用フォーマットを送信する場合について説明する。【００９８】
本参考例に係る無線通信システムと上記の実施形態に係る無線通信システムとを比較すると、移動局装置の上位層処理部及び基地局装置の上位層処理部が異なる。しかし、他の構成要素が持つ構成及び機能は、上記の実施形態と同じであるので、上記の実施形態と同じ機能についての説明は省略する。以下、本参考例に係る移動局装置を移動局装置ａ２といい、基地局装置を基地局装置ｂ２という。【００９９】
図１３は、この発明の第１の参考例に係る基地局装置ｂ２の構成を示す概略ブロック図である。本参考例に係る上位層処理部ｂ２１（図１３）と上記の実施形態に係る上位層処理部ｂ１１（図５）とを比較すると、無線リソース制御部ｂ２１１、送信電力制御部ｂ２１２、記憶部ｂ２１３が異なる。しかし、他の構成要素（制御部ｂ１２、受信処理部ｂ１３、及び、送信処理部ｂ１４）が持つ機能は上記の実施形態と同じである。上記の実施形態と同じ機能の説明は省略する。【０１００】
以下、基地局装置ｂ２の上位層処理部ｂ２１の処理について説明する。
本参考例では、上位層処理部ｂ２１は、下りキャリア要素毎のデータ情報を、送信処理部ｂ１４に出力する。また、上位層処理部ｂ２１は、パケットデータ統合プロトコル層、無線リンク制御層、無線リソース制御層の処理を行う。上位層処理部ｂ２１の無線リソース制御部ｂ２１１は、移動局装置ａ２各々の各種設定情報、通信状態、及び、バッファ状況の管理などを行っている。上位層処理部ｂ２１の送信電力制御部ｂ２１２は、移動局装置ａ２各々の上りリンクの送信電力の管理を行なっている。上位層処理部ｂ２１の記憶部ｂ２１３は無線リソース制御部ｂ２１１、及び送信電力制御部ｂ２１２が設定した移動局装置ａ２各々の各種設定情報を記憶している。【０１０１】
上記の処理において、上位層処理部ｂ２１が備える無線リソース制御部ｂ２１１は、基地局装置ｂ２が無線通信に用いることのできる下りキャリア要素と上りキャリア要素の数、及び移動局装置ａ２が同時に送信、又は受信することのできる下りキャリア要素と上りキャリア要素の数に応じて、複数の上りキャリア要素と下りキャリア要素を移動局装置ａ２に割り当てる。また、無線リソース制御部ｂ２１１は、基地局装置ｂ２が管理する上りキャリア要素の周波数帯（例えば、８００ＭＨｚや３ＧＨｚ）やカバレッジ、隣接する基地局装置ｂ２からの干渉などに基づき、上りキャリア要素を複数のグループに分け、上りキャリア要素のグループ構成について移動局装置ａ２各々に通知する。【０１０２】
また、無線リソース制御部ｂ２１１は、下りキャリア要素に収容している移動局装置ａ２の数、移動局装置ａ２から受信した下りキャリア要素の伝搬路の品質を示すチャネル品質情報、上りキャリア要素の周波数帯やカバレッジ、隣接する基地局装置ｂ２からの干渉などに基づき、上りキャリア要素のグループ毎に、この移動局装置ａ２宛の送信電力制御用フォーマットを送信するアンカー下りキャリア要素を移動局装置ａ２各々に割り当てる。また、無線リソース制御部ｂ２１１は、移動局装置ａ２各々に、移動局装置ａ２宛ての下りリンク制御情報を識別するためのＣ−ＲＮＴＩ、アンカー下りキャリア要素毎に送信電力制御用フォーマットを識別するためのＴＰＣ−ＰＵＣＣＨ−ＲＮＴＩ、ＴＰＣ−ＰＵＳＣＨ−ＲＮＴＩとＴＰＣコマンドの番号を割り当て、通知する。【０１０３】
尚、無線リソース制御部ｂ２１１は、上りキャリア要素のグループ毎に割り当てるアンカー下りキャリア要素は必ず異なる下りキャリア要素を割り当てるようにしてもよいし、上りキャリア要素の複数のグループに対して同じ下りキャリア要素をアンカー下りキャリア要素として割り当ててもよい。【０１０４】
無線リソース制御部ｂ２１１は、上りキャリア要素のグループ毎に割り当てるアンカー下りキャリア要素が異なる場合、同じＴＰＣ−ＰＵＣＣＨ−ＲＮＴＩ、及びＴＰＣ−ＰＵＳＣＨ−ＲＮＴＩを複数のアンカー下りキャリア要素で用いてもよい。これにより、移動局装置ａ２は、ＴＰＣ−ＰＵＣＣＨ−ＲＮＴＩ、又はＴＰＣ−ＰＵＳＣＨ−ＲＮＴＩを含む送信電力制御用フォーマットを検出したアンカー下りキャリア要素から、送信電力制御用フォーマットが対応する上りキャリア要素のグループを識別することができ、無線リソース制御部ｂ２１１は、ＴＰＣ−ＰＵＣＣＨ−ＲＮＴＩ、及びＴＰＣ−ＰＵＳＣＨ−ＲＮＴＩに割り当てる識別子のリソースを上りキャリア要素のグループ毎に再利用することで、識別子のリソースの削減ができる。【０１０５】
また、無線リソース制御部ｂ２１１は、上りキャリア要素のグループ毎に割り当てるアンカー下りキャリア要素が異なる場合、上りキャリア要素のグループ毎に必ず異なるＴＰＣ−ＰＵＣＣＨ−ＲＮＴＩ、及びＴＰＣ−ＰＵＳＣＨ−ＲＮＴＩを割り当ててもよい。これにより、基地局装置ｂ２は、上りキャリア要素のグループ全体でＴＰＣ−ＰＵＣＣＨ−ＲＮＴＩ、ＴＰＣ−ＰＵＳＣＨ−ＲＮＴＩの管理をすればよく、基地局装置ｂ２の構造を簡略化することができる。【０１０６】
また、無線リソース制御部ｂ２１１は、上りキャリア要素の複数のグループに対して同じ下りキャリア要素をアンカー下りキャリア要素として割り当てる場合、上りキャリア要素のグループ毎に異なるＴＰＣ−ＰＵＣＣＨ−ＲＮＴＩ、及びＴＰＣ−ＰＵＳＣＨ−ＲＮＴＩを割り当ててもよい。これにより、移動局装置ａ２は、検出した送信電力制御用フォーマットに含まれるＴＰＣ−ＰＵＣＣＨ−ＲＮＴＩ、又はＴＰＣ−ＰＵＳＣＨ−ＲＮＴＩから送信電力制御用フォーマットが対応する上りキャリア要素のグループを識別することができ、移動局装置ａ２が共通探索空間をモニターする下りキャリア要素の数を減らすことができる。【０１０７】
また、無線リソース制御部ｂ２１１は、移動局装置ａ２から上りリンク制御チャネルで通知された上りリンク制御情報（ＡＣＫ／ＮＡＣＫ、チャネル品質情報、スケジューリング要求、及び移動局装置ａ２のバッファの状況）や無線リソース制御部ｂ２１１が設定した移動局装置ａ２各々の各種設定情報に基づき、受信処理部ｂ１３、及び送信処理部ｂ１４の制御を行うために制御情報を生成し、制御部ｂ１２に出力する。例えば、無線リソース制御部は、送信処理部ｂ１４が送信電力制御用フォーマットを配置する場合、送信電力制御用フォーマットが対応する上りキャリア要素のグループに割り当てたアンカー下りキャリア要素の共通探索空間に配置するよう、制御部ｂ１２に制御情報を出力する。【０１０８】
上記の処理において、上位層処理部ｂ２１が備える送信電力制御部ｂ２１２は、同じアンカー下りキャリア要素で、同じＴＰＣ−ＰＵＣＣＨ−ＲＮＴＩ、又はＴＰＣ−ＰＵＳＣＨ−ＲＮＴＩを割り当てた移動局装置ａ２の上りキャリア要素のグループに対するＴＰＣコマンドをまとめて送信電力制御用フォーマットを生成する。【０１０９】
上位層処理部ｂ２１の記憶部ｂ２１３は、無線リソース制御部ｂ２１１と送信電力制御部ｂ２１２が設定した移動局装置ａ２各々の各種設定情報を記憶している。図１４は、本参考例に係る記憶部ｂ２１３が記憶している各種設定情報の一例を示す図である。図１３では、Ｎ個の移動局装置ａ２各々（Ａ１、Ａ２、・・・、ＡＮ）に対する設定情報を記憶しており、上りキャリア要素をＵＣＣ−１とＵＣＣ−２のグループと、ＵＣＣ−３とＵＣＣ−４のグループに分けている。【０１１０】
例えば、図１４において、記憶部ｂ２１３は、無線リソース制御部ｂ２１１と送信電力制御部ｂ２１２が移動局装置Ａ１のＵＣＣ−１とＵＣＣ−２のグループに対して設定した各種設定情報として、アンカー下りキャリア要素を“ＤＣＣ−２”、ＴＰＣ−ＰＵＣＣＨ−ＲＮＴＩを“０００１”、ＵＣＣ−１に対する上りリンク制御チャネルに対するＴＰＣコマンドの番号を“２”、ＵＣＣ−１の上りリンク制御チャネルに対するＴＰＣコマンドの値を“０ｄＢｍ”、ＵＣＣ−２に対する上りリンク制御チャネルに対するＴＰＣコマンドの番号を“３”、ＵＣＣ−２の上りリンク制御チャネルに対するＴＰＣコマンドの値を“４ｄＢｍ”、ＴＰＣ−ＰＵＳＣＨ−ＲＮＴＩを“０００２”、ＵＣＣ−１に対する上りリンク共用チャネルに対するＴＰＣコマンドの番号を“４”、ＵＣＣ−１の上りリンク共用チャネルに対するＴＰＣコマンドの値を“０ｄＢｍ”、ＵＣＣ−２に対する上りリンク制御チャネルに対するＴＰＣコマンドの番号を“１”、ＵＣＣ−２の上りリンク共用チャネルに対するＴＰＣコマンドの値を“１ｄＢｍ”と記憶している。【０１１１】
また、上位層処理部ｂ２１の無線リソース制御部ｂ２１１と送信電力制御部ｂ２１２が、上りキャリア要素のグループ毎に移動局装置ａ２各々に設定したアンカー下りキャリア要素の番号と、ＴＰＣ−ＰＵＣＣＨ−ＲＮＴＩとＴＰＣ−ＰＵＳＣＨ−ＲＮＴＩの識別子（１６進数）と、ＴＰＣ−ＰＵＣＣＨ−ＲＮＴＩとＴＰＣ−ＰＵＳＣＨ−ＲＮＴＩ毎に、移動局装置ａ２各々の上りキャリア要素が対応する送信電力制御用フォーマットに含まれるＴＰＣコマンドの番号と、現在ＴＰＣコマンドで移動局装置ａ２各々に指示している送信電力の値を表の形式で記憶している。尚、図１４において基地局装置ｂ２が移動局装置ａ２に割り当てていない上りキャリア要素に対するＴＰＣコマンドの番号と送信電力は空欄としている。【０１１２】
図１５は、この発明の第１の参考例に係る移動局装置ａ２の構成を示す概略ブロック図である。本参考例に係る上位層処理部ａ２１（図１５）と上記の実施形態に係る上位層処理部ａ１１（図７）とを比較すると、無線リソース制御部ａ２１１、記憶部ａ２１３が異なる。しかし、他の構成要素（送信電力制御部ａ１１２、制御部ａ１２、受信処理部ａ１３、及び、送信処理部ａ１４）が持つ機能は上記の実施形態と同じである。上記の実施形態と同じ機能の説明は省略する。
【０１１３】
以下、移動局装置ａ２の上位層処理部ａ２１の処理について説明する。
本参考例では、上位層処理部ａ２１は、ユーザの操作等により生成した上りキャリア要素毎のデータ情報を、送信処理部ａ１４に出力する。また、上位層処理部ａ２１は、パケットデータ統合プロトコル層、無線リンク制御層、無線リソース制御層の処理を行う。上位層処理部ａ２１が備える無線リソース制御部ａ２１１は、自装置の各種設定情報、通信状態、及び、バッファ状況の管理などを行っている。上位層処理部ａ２１の記憶部ａ２１３は無線リソース制御部ａ２１が管理している自装置の各種設定情報を記憶している。【０１１４】
上記の処理において、上位層処理部ａ２１が備える無線リソース制御部ａ２１１は、自装置が割り当てられたＣ−ＲＮＴＩ、下りキャリア要素と上りキャリア要素、設定された上りキャリア要素のグループ構成、上りキャリア要素のグループ毎のアンカー下りキャリア要素とＴＰＣ−ＰＵＣＣＨ−ＲＮＴＩとＴＰＣ−ＰＵＳＣＨ−ＲＮＴＩなどの各種設定情報の管理を行なう。また、無線リソース制御部ａ２１１は、各上りキャリア要素の各チャネルに配置する情報を生成し、上りキャリア要素毎に送信処理部ａ１４に出力する。【０１１５】
無線リソース制御部ａ２１１は、基地局装置ｂ２から下りリンク制御チャネルで通知された下りリンク制御情報（例えば、下りリンクグラント、上りリンクグラント）や、無線リソース制御部ａ２１１が管理する自装置の各種設定情報に基づき、受信処理部ａ１３、及び送信処理部ａ１４の制御を行うために制御情報を生成し、制御部ａ１２に出力する。例えば、無線リソース制御部ａ２１１は、受信処理部ａ１３が下りリンク制御チャネルをモニターする場合、送信電力制御用フォーマットを上りキャリア要素のグループ毎にアンカー下りキャリア要素の共通探索空間でモニターし、自装置宛ての下りリンクグラントと上りリンクグラントを、アンカー下りキャリア要素の共通探索空間と下りキャリア要素各々の移動局装置固有探索空間でモニターするよう、制御部ａ１２に制御情報を出力する。【０１１６】
上位層処理部ａ２１の記憶部ａ２１３は、無線リソース制御部ａ２１１と送信電力制御部ａ１１２が管理する自装置の各種設定情報を記憶している。図１６は、本参考例に係る記憶部ａ２１３が記憶している各種設定情報の一例を示す図である。図１６では、自装置が上りキャリア要素のグループ（ＵＣＣ−１とＵＣＣ−２のグループと、ＵＣＣ−３とＵＣＣ−４のグループ）毎に基地局装置ｂ２に設定されたアンカー下りキャリア要素の番号と、ＴＰＣ−ＰＵＣＣＨ−ＲＮＴＩとＴＰＣ−ＰＵＳＣＨ−ＲＮＴＩの識別子（１６進数）と、ＴＰＣ−ＰＵＣＣＨ−ＲＮＴＩとＴＰＣ−ＰＵＳＣＨ−ＲＮＴＩ毎に、自装置の上りキャリア要素が対応する送信電力制御用フォーマットに含まれるＴＰＣコマンドの番号と、現在ＴＰＣコマンドで自装置が指示されている送信電力の値を表の形式で記憶している。【０１１７】
例えば、図１６において、記憶部ａ２１３は、自装置のＵＣＣ−１とＵＣＣ−２のグループが基地局装置ｂ２に設定された各種設定情報として、アンカー下りキャリア要素を“ＤＣＣ−２”、ＴＰＣ−ＰＵＣＣＨ−ＲＮＴＩを“０００１”、ＵＣＣ−１に対する上りリンク制御チャネルに対するＴＰＣコマンドの番号を“２”、ＵＣＣ−１の上りリンク制御チャネルに対するＴＰＣコマンドの値を“０ｄＢｍ”、ＵＣＣ−２に対する上りリンク制御チャネルに対するＴＰＣコマンドの番号を“３”、ＵＣＣ−２の上りリンク制御チャネルに対するＴＰＣコマンドの値を“４ｄＢｍ”、ＴＰＣ−ＰＵＳＣＨ−ＲＮＴＩを“０００２”、ＵＣＣ−１に対する上りリンク共用チャネルに対するＴＰＣコマンドの番号を“４”、ＵＣＣ−１の上りリンク共用チャネルに対するＴＰＣコマンドの値を“０ｄＢｍ”、ＵＣＣ−２に対する上りリンク制御チャネルに対するＴＰＣコマンドの番号を“１”、ＵＣＣ−２の上りリンク共用チャネルに対するＴＰＣコマンドの値を“１ｄＢｍ”と記憶している。【０１１８】
図１７は、本参考例に係る移動局装置ａ２の上りリンク共用チャネルに対するＴＰＣコマンドの適用方法を示す図である。図１７では、移動局装置ａ２が、４つの下りキャリア要素（ＤＣＣ−１、ＤＣＣ−２、ＤＣＣ−３、ＤＣＣ−４）と４つの上りキャリア要素（ＵＣＣ−１、ＵＣＣ−２、ＵＣＣ−３、ＵＣＣ−４）を割り当てられ、ＵＣＣ−１とＵＣＣ−２のグループに対してアンカー下りキャリア要素としてＤＣＣ−２を設定され、ＵＣＣ−３とＵＣＣ−４のグループに対してアンカー下りキャリア要素としてＤＣＣ−３が設定された場合を示す。【０１１９】
図１７において、横軸は時間領域を示し、斜めの格子上の線が付された四角は移動局装置ａ２に割り当てたＴＰＣ−ＰＵＳＣＨ−ＲＮＴＩを含む送信電力制御用フォーマットを示し、縦と横の格子状の線が付された四角は上りリンクグラントを示し、斜線が付された四角は上りリンク共用チャネルを示す、点が付された四角はサウンディングリファレンスシグナルを示し、太い矢印は送信電力制御用フォーマット、及び上りリンクグラントに含まれる上りリンク共用チャネルとサウンディングリファレンスシグナルに対するＴＰＣコマンドが対応する上りキャリア要素と、ＴＰＣコマンドを適用する時刻を示す。【０１２０】
図１７において、ＤＣＣ−１で受信される上りリンクグラントに含まれるＴＰＣコマンドはＵＣＣ−１に対するものであり、ＤＣＣ−２で受信される上りリンクグラントに含まれるＴＰＣコマンドにはＵＣＣ−２に対する上りリンクグラントに対するものであり、ＤＣＣ−３で受信される上りリンクグラントに含まれるＴＰＣコマンドはＵＣＣ−３に対するものである。また、ＤＣＣ−２の共通探索空間で受信される送信電力制御用フォーマットには、ＵＣＣ−１とＵＣＣ−２に対するＴＰＣコマンドが含まれており、ＤＣＣ−３の共通探索空間で受信される送信電力制御用フォーマットには、ＵＣＣ−３とＵＣＣ−４に対するＴＰＣコマンドが含まれている。【０１２１】
サウンディングフリファレンスシグナルは上りキャリア要素各々で周期的な無線リソースを割り当てられており、下りキャリア要素ＤＣＣ−ｉ（ｉ＝１、２、３、４）各々で受信された上りリンクグラントの上りリンク共用チャネルに関する情報とＴＰＣコマンドは、上りリンクグラントが受信されてから４つのサブフレーム後の上りキャリア要素ＵＣＣ−ｉ（ｉ＝１、２、３、４）各々に対するものであり、アンカー下りキャリア要素ＤＣＣ−２とＤＣＣ−３の共通探索空間で受信された送信電力制御用フォーマットのＴＰＣコマンドは、送信電力制御用フォーマットが受信されてから４つのサブフレーム後の上りキャリア要素各々に対するものである。
【０１２２】
このように、本参考例によれば、無線通信システムは、上りキャリア要素のカバレッジや隣接する基地局装置ｂ２からの干渉などの上りキャリア要素の環境に基づき、基地局装置ｂ２が似た環境の上りキャリア要素をグループにし、上りキャリア要素のグループに対するＴＰＣコマンドをまとめて送信できるので、上りキャリア要素の環境に適した送信電力の制御を効率的に行なうことができる。【０１２３】
（第２の参考例）
以下、図面を参照しながら本発明の第２の参考例について詳しく説明する。【０１２４】
上記の実施形態では、無線通信システムは、基地局装置ｂ１が移動局装置ａ１に割り当てた複数の下りキャリア要素のうち、１つの下りキャリア要素をアンカー下りキャリア要素として設定し、設定した１つのアンカー下りキャリア要素で送信電力制御用フォーマットを送信する場合について説明した。本参考例では、基地局装置が、移動局装置に割り当てた複数の下りキャリア要素のうち、任意の１つの下りキャリア要素で送信電力制御用フォーマットを送信する場合について説明する。【０１２５】
本参考例に係る無線通信システムと上記の実施形態に係る無線通信システムとを比較すると、移動局装置の上位層処理部及び基地局装置の上位層処理部が異なる。しかし、他の構成要素が持つ構成及び機能は、上記の実施形態と同じであるので、上記の実施形態と同じ機能についての説明は省略する。以下、本参考例に係る移動局装置を移動局装置ａ３といい、基地局装置を基地局装置ｂ３という。【０１２６】
図１８は、この発明の第２の参考例に係る基地局装置ｂ３の構成を示す概略ブロック図である。本参考例に係る上位層処理部ｂ３１（図１８）と上記の実施形態に係る上位層処理部ｂ１１（図５）とを比較すると、無線リソース制御部ｂ３１１、送信電力制御部ｂ３１２、記憶部ｂ３１３が異なる。しかし、他の構成要素（制御部ｂ１２、受信処理部ｂ１３、及び、送信処理部ｂ１４）が持つ機能は上記の実施形態と同じである。上記の実施形態と同じ機能の説明は省略する。【０１２７】
以下、基地局装置ｂ３の上位層処理部ｂ３１３の処理について説明する。
本参考例では、上位層処理部ｂ３１３は、下りキャリア要素毎のデータ情報を、送信処理部ｂ１４に出力する。また、上位層処理部ｂ３１は、パケットデータ統合プロトコル層、無線リンク制御層、無線リソース制御層の処理を行う。上位層処理部ｂ３１の無線リソース制御部ｂ３１１は、移動局装置ａ３各々の各種設定情報、通信状態、及び、バッファ状況の管理などを行っている。上位層処理部ｂ３１の送信電力制御部ｂ３１２は、移動局装置ａ３各々の上りリンクの送信電力の管理を行なっている。上位層処理部ｂ３１の記憶部ｂ３１３は無線リソース制御部ｂ３１１、及び送信電力制御部ｂ３１２が設定した移動局装置ａ３各々の各種設定情報を記憶している。【０１２８】
上記の処理において、上位層処理部ｂ３１が備える無線リソース制御部ｂ３１１は、基地局装置ｂ３が無線通信に用いることのできる下りキャリア要素と上りキャリア要素の数、及び移動局装置ａ２が同時に送信、又は受信することのできる下りキャリア要素と上りキャリア要素の数に応じて、複数の上りキャリア要素と下りキャリア要素を移動局装置ａ３に割り当てる。また、無線リソース制御部ｂ３１１は、移動局装置ａ３に、移動局装置ａ３に対する下りリンク制御情報を識別するためのＣ−ＲＮＴＩ、アンカー下りキャリア要素毎に送信電力制御用フォーマットを識別するためのＴＰＣ−ＰＵＣＣＨ−ＲＮＴＩ、ＴＰＣ−ＰＵＳＣＨ−ＲＮＴＩとＴＰＣコマンドの番号を割り当て、通知する。【０１２９】
また、無線リソース制御部ｂ３１１は、移動局装置ａ３から上りリンク制御チャネルで通知された上りリンク制御情報（ＡＣＫ／ＮＡＣＫ、チャネル品質情報、スケジューリング要求、及び移動局装置ａ３のバッファの状況）や無線リソース制御部ｂ３１１が設定した移動局装置ａ３各々の各種設定情報に基づき、受信処理部ｂ１３、及び送信処理部ｂ１４の制御を行うために制御情報を生成し、制御部ｂ１２に出力する。例えば、無線リソース制御部ｂ３１１は、送信処理部ｂ１４が送信電力制御用フォーマットを配置する場合、伝搬路の品質の良い下りキャリア要素を選択し、選択した下りキャリア要素の共通探索空間に配置するよう、制御部ｂ１２に制御情報を出力する。
【０１３０】
上記の処理において、上位層処理部ｂ３１が備える送信電力制御部ｂ３１２は、同じＴＰＣ−ＰＵＣＣＨ−ＲＮＴＩ、又はＴＰＣ−ＰＵＳＣＨ−ＲＮＴＩを割り当てた移動局装置ａ２に対するＴＰＣコマンドをまとめて送信電力制御用フォーマットを生成する。
【０１３１】
上位層処理部ｂ３１の記憶部ｂ３１３は、無線リソース制御部ｂ３１１と送信電力制御部ｂ３１２が設定した移動局装置ａ３各々の各種設定情報を記憶している。図１９は、本参考例に係る記憶部ｂ３１３が記憶している各種設定情報の一例を示す図である。図１９では、Ｎ個の移動局装置各々（Ａ１、Ａ２、・・・、ＡＮ）に対する設定情報を記憶している。また、上位層処理部ｂ３１の無線リソース制御部ｂ３１１と送信電力制御部ｂ３１２が移動局装置ａ３各々に設定した、ＴＰＣ−ＰＵＣＣＨ−ＲＮＴＩとＴＰＣ−ＰＵＳＣＨ−ＲＮＴＩの識別子（１６進数）と、ＴＰＣ−ＰＵＣＣＨ−ＲＮＴＩとＴＰＣ−ＰＵＳＣＨ−ＲＮＴＩ毎に、移動局装置ａ３各々の上りキャリア要素が対応する送信電力制御用フォーマットに含まれるＴＰＣコマンドの番号と、現在ＴＰＣコマンドで移動局装置に指示している送信電力の値を表の形式で記憶している。尚、基地局装置ｂ３が移動局装置ａ３に割り当てていない上りキャリア要素に対するＴＰＣコマンドの番号と送信電力は空欄としている。【０１３２】
例えば、図１９において、記憶部ｂ３１３は、無線リソース制御部ｂ３１１と送信電力制御部ｂ３１２が移動局装置Ａ１に対して設定した各種設定情報として、ＴＰＣ−ＰＵＣＣＨ−ＲＮＴＩを“０００１”、ＵＣＣ−１に対する上りリンク制御チャネルに対するＴＰＣコマンドの番号を“２”、ＵＣＣ−１の上りリンク制御チャネルに対するＴＰＣコマンドの値を“０ｄＢｍ”、ＵＣＣ−２に対する上りリンク制御チャネルに対するＴＰＣコマンドの番号を“３”、ＵＣＣ−２の上りリンク制御チャネルに対するＴＰＣコマンドの値を“４ｄＢｍ”、ＵＣＣ−３に対する上りリンク制御チャネルに対するＴＰＣコマンドの番号を“４”、ＵＣＣ−３の上りリンク制御チャネルに対するＴＰＣコマンドの値を“１ｄＢｍ”、ＴＰＣ−ＰＵＳＣＨ−ＲＮＴＩを“０００２”、ＵＣＣ−１に対する上りリンク共用チャネルに対するＴＰＣコマンドの番号を“１”、ＵＣＣ−１の上りリンク共用チャネルに対するＴＰＣコマンドの値を“０ｄＢｍ”、ＵＣＣ−２に対する上りリンク制御チャネルに対するＴＰＣコマンドの番号を“２”、ＵＣＣ−２の上りリンク共用チャネルに対するＴＰＣコマンドの値を“４ｄＢｍ” ＵＣＣ−３に対する上りリンク制御チャネルに対するＴＰＣコマンドの番号を“３”、ＵＣＣ−３の上りリンク制御チャネルに対するＴＰＣコマンドの値を“１ｄＢｍ”と記憶している。【０１３３】
図２０は、この発明の第２の参考例に係る移動局装置ａ３の構成を示す概略ブロック図である。本参考例に係る上位層処理部ａ３１（図２０）と上記の実施形態に係る上位層処理部ａ１１（図７）とを比較すると、無線リソース制御部ａ３１１、記憶部ａ３１３が異なる。しかし、他の構成要素（送信電力制御部ａ１１２、制御部ａ１２、受信処理部ａ１３、及び、送信処理部ａ１４）が持つ機能は上記の実施形態と同じである。上記の実施形態と同じ機能の説明は省略する。
【０１３４】
以下、移動局装置ａ３の上位層処理部ａ３１の処理について説明する。
本参考例では、上位層処理部ａ３１は、ユーザの操作等により生成した上りキャリア要素毎のデータ情報を、送信処理部ａ１４に出力する。また、上位層処理部ａ３１は、パケットデータ統合プロトコル層、無線リンク制御層、無線リソース制御層の処理を行う。上位層処理部ａ３１が備える無線リソース制御部ａ３１１は、自装置の各種設定情報、通信状態、及び、バッファ状況の管理などを行っている。上位層処理部ａ３１の記憶部ａ３１３は無線リソース制御部ａ３１１と送信電力制御部ａ１１２が管理する自装置の各種設定情報を記憶している。【０１３５】
上記の処理において、上位層処理部ａ３１が備える無線リソース制御部ａ３１１は、自装置が割り当てられた下りキャリア要素と上りキャリア要素、Ｃ−ＲＮＴＩ、ＴＰＣ−ＰＵＣＣＨ−ＲＮＴＩとＴＰＣ−ＰＵＳＣＨ−ＲＮＴＩなどの各種設定情報の管理を行なう。また、無線リソース制御部ａ３１１は、各上りキャリア要素の各チャネルに配置する情報を生成し、上りキャリア要素毎に送信処理部ｂ１４に出力する。【０１３６】
無線リソース制御部ａ３１１は、基地局装置ｂ３から下りリンク制御チャネルで通知された下りリンク制御情報（例えば、下りリンクグラント、上りリンクグラント）や、無線リソース制御部ａ３１１が管理する自装置の各種設定情報に基づき、受信処理部ｂ１３、及び送信処理部ｂ１４の制御を行うために制御情報を生成し、制御部ｂ１２に出力する。例えば、無線リソース制御部ａ３１１は、受信処理部ｂ１３が下りリンク制御チャネルをモニターする場合、受信処理部ｂ１３が送信電力制御用フォーマットを下りキャリア要素各々の共通探索空間でモニターし、自装置宛ての下りリンクグラントと上りリンクグラントを、下りキャリア要素各々の共通探索空間と移動局装置固有探索空間でモニターするよう、制御部ｂ１２に制御情報を出力する。【０１３７】
上位層処理部ａ３１の記憶部ａ３１３は、無線リソース制御部ａ３１１と送信電力制御部ａ１１２が管理する自装置の各種設定情報を記憶している。図２１は、本参考例に係る記憶部ａ３１３が記憶している各種設定情報の一例を示す図である。図２１では、自装置が基地局装置ｂ３に設定されたＴＰＣ−ＰＵＣＣＨ−ＲＮＴＩとＴＰＣ−ＰＵＳＣＨ−ＲＮＴＩの識別子（１６進数）と、ＴＰＣ−ＰＵＣＣＨ−ＲＮＴＩとＴＰＣ−ＰＵＳＣＨ−ＲＮＴＩ毎に、自装置の上りキャリア要素が対応する送信電力制御用フォーマットに含まれるＴＰＣコマンドの番号と、現在ＴＰＣコマンドで自装置が指示されている送信電力の値を表の形式で記憶している。【０１３８】
例えば、図１６において、記憶部ａ３１３は、自装置が基地局装置ｂ３に設定された各種設定情報として、ＴＰＣ−ＰＵＣＣＨ−ＲＮＴＩを“０００１”、ＵＣＣ−１に対する上りリンク制御チャネルに対するＴＰＣコマンドの番号を“２”、ＵＣＣ−１の上りリンク制御チャネルに対するＴＰＣコマンドの値を“０ｄＢｍ”、ＵＣＣ−２に対する上りリンク制御チャネルに対するＴＰＣコマンドの番号を“３”、ＵＣＣ−２の上りリンク制御チャネルに対するＴＰＣコマンドの値を“４ｄＢｍ”、ＵＣＣ−３に対する上りリンク制御チャネルに対するＴＰＣコマンドの番号を“４”、ＵＣＣ−３の上りリンク制御チャネルに対するＴＰＣコマンドの値を“１ｄＢｍ”、ＴＰＣ−ＰＵＳＣＨ−ＲＮＴＩを“０００２”、ＵＣＣ−１に対する上りリンク共用チャネルに対するＴＰＣコマンドの番号を“１”、ＵＣＣ−１の上りリンク共用チャネルに対するＴＰＣコマンドの値を“０ｄＢｍ”、ＵＣＣ−２に対する上りリンク制御チャネルに対するＴＰＣコマンドの番号を“２”、ＵＣＣ−２の上りリンク共用チャネルに対するＴＰＣコマンドの値を“４ｄＢｍ” ＵＣＣ−３に対する上りリンク制御チャネルに対するＴＰＣコマンドの番号を“３”、ＵＣＣ−３の上りリンク制御チャネルに対するＴＰＣコマンドの値を“１ｄＢｍ”と記憶している。【０１３９】
図２２は、本参考例に係る移動局装置ａ３の上りリンク共用チャネルに対するＴＰＣコマンドの適用方法を示す図である。図２２では、移動局装置ａ３が、図２に示すような下りキャリア要素（ＤＣＣ−１、ＤＣＣ−２、ＤＣＣ−３）と上りキャリア要素（ＵＣＣ−１、ＵＣＣ−２、ＵＣＣ−３）を割り当てられた場合を示す。【０１４０】
図２２において、横軸は時間領域を示し、斜めの格子上の線が付された四角は移動局装置ａ３に割り当てられたＴＰＣ−ＰＵＳＣＨ−ＲＮＴＩを含む送信電力制御用フォーマットを示し、縦と横の格子状の線が付された四角は上りリンクグラントを示し、斜線が付された四角は上りリンク共用チャネルを示す、点が付された四角はサウンディングリファレンスシグナルを示し、太い矢印は送信電力制御用フォーマット、及び上りリンクグラントに含まれる上りリンク共用チャネルとサウンディングリファレンスシグナルに対するＴＰＣコマンドが対応する上りキャリア要素と、ＴＰＣコマンドを適用する時刻を示す。【０１４１】
図２２において、ＤＣＣ−１で受信される上りリンクグラントに含まれるＴＰＣコマンドはＵＣＣ−１に対するものであり、ＤＣＣ−２で受信される上りリンクグラントに含まれるＴＰＣコマンドにはＵＣＣ−２に対する上りリンクグラントに対するものであり、ＤＣＣ−３で受信される上りリンクグラントに含まれるＴＰＣコマンドはＵＣＣ−３に対するものである。また、下りキャリア要素各々（ＤＣＣ−１、ＤＣＣ−２、ＤＣＣ−３）の共通探索空間で受信される送信電力制御用フォーマットには、上りキャリア要素各々（ＵＣＣ−１、ＵＣＣ−２、ＵＣＣ−３）に対するＴＰＣコマンドが含まれている。尚、移動局装置ａ３は同時に１つの送信電力制御用フォーマットしか受信しない。【０１４２】
サウンディングフリファレンスシグナルは上りキャリア要素各々で周期的な無線リソースを割り当てられており、下りキャリア要素ＤＣＣ−ｉ（ｉ＝１、２、３）各々で受信された上りリンクグラントの上りリンク共用チャネルに関する情報とＴＰＣコマンドは、上りリンクグラントが受信されてから３つのサブフレーム後の上りキャリア要素ＵＣＣ−ｉ（ｉ＝１、２、３）各々に対するものであり、下りキャリア要素各々の共通探索空間で受信された送信電力制御用フォーマットのＴＰＣコマンドは、送信電力制御用フォーマットが受信されてから３つのサブフレーム後の上りキャリア要素各々に対するものである。
【０１４３】
このように、本参考例によれば、無線通信システムは、移動局装置ａ３が基地局装置ｂ３に設定された全ての下りキャリア要素で送信電力制御用フォーマットをモニターするので、基地局装置ｂ３は、移動局装置ａ３に設定した全ての下りキャリア要素の共通探索空間に送信電力制御用フォーマットを配置することができるため、基地局装置ｂ３が品質の良い下りキャリア要素を選択する、又は、下りリンク制御チャネルのオーバーヘッドの少ない下りキャリア要素を選択するなど、送信電力制御用フォーマットの配置の自由度を増すことができる。【０１４４】
尚、上記の実施形態において、基地局装置ｂ１は、移動局装置ａ１に割り当てるアンカー下りキャリア要素を全て同じ下りキャリア要素に設定してもよい。これにより、基地局装置ｂ１は、移動局装置ａ１毎にアンカー下りキャリア要素を設定し、管理する必要がなく、基地局装置ｂ１の構成を簡略化することができる。【０１４５】
また、上記の実施形態において、基地局装置ｂ１は、同じビット数の複数のＴＰＣコマンドから送信電力制御用フォーマットを構成したが、同じビット数の複数のＴＰＣコマンドのフィールドを使って新たなフォーマットのＴＰＣコマンドを構成するようにしても良い。基地局装置ｂ１は移動局装置ａ１毎に上りキャリア要素に対する複数のＴＰＣコマンドのフィールドを設定し、その複数のＴＰＣコマンドのフィールドの全ビット数を使用して、上りキャリア要素共通ＴＰＣコマンド、上りキャリア要素ごとのＴＰＣコマンドなどを通知することができる。このフォーマットは予め定められている。又は、設定可能である。
また、基地局装置ｂ１は移動局装置ａ１毎に上りキャリア要素に対するＴＰＣコマンドのビット数などのＴＰＣコマンドの構成を設定し、設定したＴＰＣコマンドの構成と、送信電力制御用フォーマットに含まれる移動局装置ａ１に対するＴＰＣコマンドが含まれる領域（フィールド）を、移動局装置ａ１に通知してもよい。これにより、基地局装置ｂ１は、移動局装置ａ１毎に適した構成のＴＰＣコマンドを送信することができる。【０１４６】
また、上記第１の参考例において、基地局装置ｂ２は、移動局装置ａ２毎に異なる上りキャリア要素のグループを構成してもよい。これにより、上りキャリア要素の環境だけでなく、移動局装置ａ２の環境も考慮し、より効率的に送信電力の制御をすることができる。【０１４７】
本発明に関わる基地局装置及び移動局装置で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ)などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。【０１４８】
尚、上述した実施形態における移動局装置ａ１〜ａ３、基地局装置ｂ１〜ｂ３の一部、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。尚、ここでいう「コンピュータシステム」とは、移動局装置ａ１〜ａ３、又は基地局装置ｂ１〜ｂ３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。【０１４９】
また、上述した実施形態における移動局装置ａ１〜ａ３、基地局装置ｂ１〜ｂ３の一部、又は全部を典型的には集積回路であるＬＳＩとして実現してもよいし、複数の集積回路を組み合わせたチップセットとして実現してもよい。移動局装置ａ１〜ａ３、基地局装置ｂ１〜ｂ３の各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。【０１５０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５１】
移動局装置…ａ１、ａ２、ａ３、基地局装置…ｂ１、ｂ２、ｂ３、上位層処理部…ａ１１、ａ２１、ａ３１、無線リソース制御部…ａ１１１、ａ２１１、ａ３１１、送信電力制御部…ａ１１２、記憶部…ａ１１３、ａ２１３、ａ３１３、制御部…ａ１２、受信処理部…ａ１３、送信処理部…ａ１４、電力増幅部…ａ１４１、上位層処理部…ｂ１１、ｂ２１、ｂ３１、無線リソース制御部…ｂ１１１、ｂ２１１、ｂ３１１、送信電力制御部…ｂ１１２、ｂ２１２、ｂ３１２、記憶部…ｂ１１３、ｂ２１３、ｂ３１３、制御部…ｂ１２、受信処理部ｂ１３、送信処理部ｂ１４。
【図１】
0005432998.tif 000002
【図２】
0005432998.tif 000003
【図３】
0005432998.tif 000004
【図４】
0005432998.tif 000005
【図５】
0005432998.tif 000006
【図６】
0005432998.tif 000007
【図７】
0005432998.tif 000008
【図８】
0005432998.tif 000009
【図９】
0005432998.tif 000010
【図１０】
0005432998.tif 000011
【図１１】
0005432998.tif 000012
【図１２】
0005432998.tif 000013
【図１３】
0005432998.tif 000014
【図１４】
0005432998.tif 000015
【図１５】
0005432998.tif 000016
【図１６】
0005432998.tif 000017
【図１７】
0005432998.tif 000018
【図１８】
0005432998.tif 000019
【図１９】
0005432998.tif 000020
【図２０】
0005432998.tif 000021
【図２１】
0005432998.tif 000022
【図２２】
0005432998.tif 000023